(57)【特許請求の範囲】
【請求項１】
１つまたは複数の時空間ストリーム上で通信する方法であって、前記方法は、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、ここで、前記周期は、ショートトレーニングフィールド（ＳＴＦ）期間、ショートガードインターバル（ＳＧＩ）持続時間、および／またはシンボル期間である、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと、
第１のサイクリックシフト遅延テーブルに従ってデータユニットの第１の部分を送信することと、
第２のサイクリックシフト遅延テーブルに従って前記データユニットの第２の部分を送信することと
を備え、前記第１のサイクリックシフト遅延テーブルが、ペイロードの受信電力で除算されたショートトレーニングフィールドの受信電力のメトリックに基づいて決定される、方法。
【請求項２】
前記第２のストリームを送信することが、前記第１のストリームに対する４μｓのサイクリックシフト遅延をもつ前記第２のストリームを送信することを含み、
前記第３のストリームを送信することが、前記第１のストリームに対する２μｓのサイクリックシフト遅延をもつ前記第３のストリームを送信することを含み、
前記第４のストリームを送信することが、前記第１のストリームに対する６μｓのサイクリックシフト遅延をもつ前記第４のストリームを送信することを含む、
請求項１に記載の方法。
【請求項３】
ストリーム帯域幅、フレームフォーマット、および送信アンテナのうちの１つまたは複数に基づいて、前記ストリームの各々のためのサイクリックシフト遅延テーブルを選択することと、
前記選択されたサイクリックシフト遅延テーブルに基づいて各ストリームにサイクリックシフト遅延を適用することと、
をさらに備える、請求項１に記載の方法。
【請求項４】
前記第１の部分がオムニ部分を含み、前記第２の部分が、プリコーディングされた部分を含む、あるいは、
前記第２のサイクリックシフト遅延テーブルが、信号フィールドの受信電力で除算されたショートトレーニングフィールドの受信電力のメトリックに基づいて決定される、
請求項１に記載の方法。
【請求項５】
送信することが、１ＭＨｚ帯域幅で送信することを含む、請求項１に記載の方法。
【請求項６】
送信することが、２ＭＨｚ帯域幅で送信することを含む、請求項１に記載の方法。
【請求項７】
１つまたは複数の時空間ストリーム上で通信するための装置であって、
２ＭＨｚ以下の帯域幅をもつ第１のストリームを送信するための手段と、
少なくとも２つのストリームがあるとき、周期の１／２に等しい前記第１のストリームに対するサイクリックシフト遅延をもつ第２のストリームを送信するための手段と、ここで、前記周期は、ショートトレーニングフィールド（ＳＴＦ）期間、ショートガードインターバル（ＳＧＩ）持続時間、および／またはシンボル期間である、
少なくとも３つのストリームがあるとき、前記周期の１／４に等しい前記第１のストリームと前記第２のストリームとのうちの一方に対するサイクリックシフト遅延をもつ第３のストリームを送信するための手段と、
少なくとも４つのストリームがあるとき、前記周期の１／４に等しい前記第１のストリームと前記第２のストリームとのうちの他方に対するサイクリックシフト遅延をもつ第４のストリームを送信するための手段と、
第１のサイクリックシフト遅延テーブルに従ってデータユニットの第１の部分を送信するための手段と、
第２のサイクリックシフト遅延テーブルに従って前記データユニットの第２の部分を送信するための手段と
を備え、前記第１のサイクリックシフト遅延テーブルが、ペイロードの受信電力で除算されたショートトレーニングフィールドの受信電力のメトリックに基づいて決定される、装置。
【請求項８】
前記第１のストリームに対する４μｓのサイクリックシフト遅延をもつ前記第２のストリームを送信することを含む、前記第２のストリームを送信するための手段と、
前記第１のストリームに対する２μｓのサイクリックシフト遅延をもつ前記第３のストリームを送信することを含む、前記第３のストリームを送信するための手段と、
前記第１のストリームに対する６μｓのサイクリックシフト遅延をもつ前記第４のストリームを送信することを含む、前記第４のストリームを送信するための手段と
をさらに備える、
請求項７に記載の装置。
【請求項９】
ストリーム帯域幅、フレームフォーマット、および送信アンテナのうちの１つまたは複数に基づいて、前記ストリームの各々のための新しいサイクリックシフト遅延テーブルを選択するための手段と、
前記選択されたサイクリックシフト遅延テーブルに基づいて各ストリームにサイクリックシフト遅延を適用するための手段と、
をさらに備える、請求項７に記載の装置。
【請求項１０】
前記第１の部分がオムニ部分を含み、前記第２の部分が、プリコーディングされた部分を含む、あるいは、
前記第２のサイクリックシフト遅延テーブルが、信号フィールドの受信電力で除算されたショートトレーニングフィールドの受信電力のメトリックに基づいて決定される、
請求項７に記載の装置。
【請求項１１】
送信するための手段が、１ＭＨｚ帯域幅で送信するための手段を含む、請求項７に記載の装置。
【請求項１２】
送信するための手段が、シングルセグメントフレームを送信するための手段を含む、請求項７に記載の装置。
【請求項１３】
コンピュータ上で実行されたときに、請求項１から６までのいずれか１項に記載のステップを実行するための命令を備える、コンピュータ可読記憶媒体。
【発明の詳細な説明】
【技術分野】
【０００１】
関連出願の相互参照
本出願は、すべて参照により本明細書に組み込まれる、２０１１年１２月２日に出願された米国仮出願第６１／５６６，５８３号、２０１１年１２月１２日に出願された米国仮出願第６１／５６９，４５５号、２０１２年１月３０日に出願された米国仮出願第６１／５９２，５６０号、２０１２年２月１３日に出願された米国仮出願第６１／５９８，１８７号、２０１２年４月９日に出願された米国仮出願第６１／６２１，８８０号、および２０１２年４月１６日に出願された米国仮出願第６１／６２４，８６６号の優先権を主張する。
【０００２】
本開示のいくつかの態様は、一般にワイヤレス通信に関し、より詳細には、複数の周波数、またはトーン、および空間ストリーム上で通信するための方法に関する。
【背景技術】
【０００３】
ワイヤレス通信システムに要求される帯域幅要件の増加の問題に対処するために、高いデータスループットを達成しながらマルチプルなユーザ端末がチャネルリソースを共有することによって単一のアクセスポイントと通信することを可能にするための、様々な方式が開発されている。多入力多出力（ＭＩＭＯ）技術は、次世代通信システムのための普及している技法として最近現れた１つのそのような手法を表す。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【０００４】
ＭＩＭＯシステムは、データ送信のためにマルチプルな（ＮT個の）送信アンテナとマルチプルな（ＮR個の）受信アンテナとを採用する。ＮT個の送信アンテナとＮR個の受信アンテナによって形成されるＭＩＭＯチャネルは、空間チャネルとも呼ばれるＮS個の独立チャネルに分解され得、ただし、ＮS＝＜ｍｉｎ｛ＮT，ＮR｝である。ＮS個の独立チャネルの各々は１つの次元に対応する。マルチプルな送信アンテナおよび受信アンテナによって作り出された追加の次元数が利用された場合、ＭＩＭＯシステムは改善された性能（たとえば、より高いスループットおよび／またはより大きい信頼性）を与えることができる。
【０００５】
単一のアクセスポイント（ＡＰ）とマルチプルなユーザ局（ＳＴＡ）とをもつワイヤレスネットワークでは、アップリンク方向とダウンリンク方向の両方で、異なるユーザ端末に向かってマルチプルチャネル上で同時送信が起こり得る。そのようなシステムには多くの課題が存在する。たとえば、ワイヤレスチャネルにおける遅延拡散がシンボル間干渉（ＩＳＩ：intersymbol interference）とキャリア間干渉（ＩＣＩ：inter-carrier interference）とを引き起こし得る。したがって、干渉と意図しないビームフォーミングとを低減するためのデバイスおよび方法が望まれる。
【発明の概要】
【０００６】
本発明のシステム、方法、およびデバイスは、それぞれいくつかの態様を有しており、それらのうちの単一の態様が単独で本発明の望ましい属性を担うわけではない。以下で、特許請求の範囲によって表される本発明の範囲を限定することなしに、いくつかの特徴について簡単に説明する。この説明を考慮すれば、特に「詳細な説明」と題するセクションを読めば、本発明の特徴が、干渉と意図しないビームフォーミングとを低減することを含む利点をどのように提供するかが理解されよう。
【０００７】
本開示で説明する主題の一態様は、１つまたは複数の時空間ストリーム（space-time stream）上で通信する方法を提供する。本方法は、１ＭＨｚ以下の帯域幅をもつ第１のストリームのプリコーディングされた部分を送信することを含む。本方法は、少なくとも２つのストリームがあるとき、第１のストリームに対する４μｓのサイクリックシフト遅延（cyclic shift delay）をもつ第２のストリームのプリコーディングされた部分を送信することをさらに含む。本方法は、少なくとも３つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分とを送信することをさらに含む。本方法は、少なくとも４つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分と、第１のストリームに対する５μｓのサイクリックシフト遅延をもつ第４のストリームのプリコーディングされた部分とを送信することをさらに含む。
【０００８】
本開示で説明する主題の別の態様は、１つまたは複数の時空間ストリーム上で通信するように構成されたワイヤレスデバイスを提供する。本デバイスは、各時空間ストリームのサイクリックシフト遅延を決定するように構成されたプロセッサを含む。本デバイスはメモリをさらに含む。本デバイスは、１ＭＨｚ以下の帯域幅をもつ第１のストリームのプリコーディングされた部分を送信するように構成された送信機をさらに含む。送信機は、少なくとも２つのストリームがあるとき、第１のストリームに対する４μｓのサイクリックシフト遅延をもつ第２のストリームのプリコーディングされた部分を送信するようにさらに構成される。送信機は、少なくとも３つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分とを送信するようにさらに構成される。送信機は、少なくとも４つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分と、第１のストリームに対する５μｓのサイクリックシフト遅延をもつ第４のストリームのプリコーディングされた部分とを送信するようにさらに構成される。
【０００９】
本開示で説明する主題の別の態様は、１つまたは複数の時空間ストリーム上で通信するための装置を提供する。本装置は、１ＭＨｚ以下の帯域幅をもつ第１のストリームのプリコーディングされた部分を送信するための手段を含む。本装置は、少なくとも２つのストリームがあるとき、第１のストリームに対する４μｓのサイクリックシフト遅延をもつ第２のストリームのプリコーディングされた部分を送信するための手段をさらに含む。本装置は、少なくとも３つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分とを送信するための手段をさらに含む。本装置は、少なくとも４つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分と、第１のストリームに対する５μｓのサイクリックシフト遅延をもつ第４のストリームのプリコーディングされた部分とを送信するための手段をさらに含む。
【００１０】
本開示で説明する主題の別の態様は非一時的コンピュータ可読媒体を提供する。媒体は、実行されたときに、１ＭＨｚ以下の帯域幅をもつ第１のストリームのプリコーディングされた部分を送信することを装置に行わせるコードを含む。媒体は、実行されたときに、少なくとも２つのストリームがあるとき、第１のストリームに対する４μｓのサイクリックシフト遅延をもつ第２のストリームのプリコーディングされた部分を送信することを装置に行わせるコードをさらに含む。媒体は、実行されたときに、少なくとも３つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分とを送信することを装置に行わせるコードをさらに含む。媒体は、実行されたときに、少なくとも４つのストリームがあるとき、第１のストリームに対する４μｓのサイクリックシフト遅延をもつ第２のストリームのプリコーディングされた部分と、第１のストリームに対する１μｓのサイクリックシフト遅延をもつ第３のストリームのプリコーディングされた部分と、第１のストリームに対する５μｓのサイクリックシフト遅延をもつ第４のストリームのプリコーディングされた部分とを送信することを装置に行わせるコードをさらに含む。
【００１１】
本開示で説明する主題の別の態様は、１つまたは複数の時空間ストリーム上で通信する別の方法を提供する。本方法は、２ＭＨｚ以下の帯域幅をもつ第１のストリームを送信することを含む。本方法は、少なくとも２つのストリームがあるとき、周期の１／２に等しい第１のストリームに対するサイクリックシフト遅延をもつ第２のストリームを送信することをさらに含む。本方法は、少なくとも３つのストリームがあるとき、周期の１／４に等しい第１のストリームと第２のストリームとのうちの一方に対するサイクリックシフト遅延をもつ第３のストリームを送信することをさらに含む。本方法は、少なくとも４つのストリームがあるとき、周期の１／４に等しい第１のストリームと第２のストリームとのうちの他方に対するサイクリックシフト遅延をもつ第４のストリームを送信することをさらに含む。
【００１２】
本開示で説明する主題の別の態様は、１つまたは複数の時空間ストリーム上で通信するように構成された別のワイヤレスデバイスを提供する。本デバイスは、各時空間ストリームのサイクリックシフト遅延を決定するように構成されたプロセッサを含む。本デバイスはメモリをさらに含む。本デバイスは、２ＭＨｚ以下の帯域幅をもつ第１のストリームを送信するように構成された送信機をさらに含む。送信機は、少なくとも２つのストリームがあるとき、周期の１／２に等しい第１のストリームに対するサイクリックシフト遅延をもつ第２のストリームを送信するようにさらに構成される。送信機は、少なくとも３つのストリームがあるとき、周期の１／４に等しい第１のストリームと第２のストリームとのうちの一方に対するサイクリックシフト遅延をもつ第３のストリームを送信するようにさらに構成される。送信機は、少なくとも４つのストリームがあるとき、周期の１／４に等しい第１のストリームと第２のストリームとのうちの他方に対するサイクリックシフト遅延をもつ第４のストリームを送信するようにさらに構成される。
【００１３】
本開示で説明する主題の別の態様は、１つまたは複数の時空間ストリーム上で通信するための別の装置を提供する。本装置は、２ＭＨｚ以下の帯域幅をもつ第１のストリームを送信するための手段を含む。本装置は、少なくとも２つのストリームがあるとき、周期の１／２に等しい第１のストリームに対するサイクリックシフト遅延をもつ第２のストリームを送信するための手段をさらに含む。本装置は、少なくとも３つのストリームがあるとき、周期の１／４に等しい第１のストリームと第２のストリームとのうちの一方に対するサイクリックシフト遅延をもつ第３のストリームを送信するための手段をさらに含む。本装置は、少なくとも４つのストリームがあるとき、周期の１／４に等しい第１のストリームと第２のストリームとのうちの他方に対するサイクリックシフト遅延をもつ第４のストリームを送信するための手段をさらに含む。
【００１４】
本開示で説明する主題の別の態様は別の非一時的コンピュータ可読媒体を提供する。媒体は、実行されたときに、２ＭＨｚ以下の帯域幅をもつ第１のストリームを送信することを装置に行わせるコードを含む。媒体は、実行されたときに、少なくとも２つのストリームがあるとき、周期の１／２に等しい第１のストリームに対するサイクリックシフト遅延をもつ第２のストリームを送信することを装置に行わせるコードをさらに含む。媒体は、実行されたときに、少なくとも３つのストリームがあるとき、周期の１／４に等しい第１のストリームと第２のストリームとのうちの一方に対するサイクリックシフト遅延をもつ第３のストリームを送信することを装置に行わせるコードをさらに含む。媒体は、実行されたときに、少なくとも４つのストリームがあるとき、周期の１／４に等しい第１のストリームと第２のストリームとのうちの他方に対するサイクリックシフト遅延をもつ第４のストリームを送信することを装置に行わせるコードをさらに含む。
【００１５】
本開示の上述の特徴が詳細に理解され得るように、添付の図面にその一部を示す態様を参照することによって、上記で手短に要約したより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１６】
【図１】通信ネットワークの一態様の図。
【図２】アクセスポイントとユーザ端末との一態様のブロック図。
【図３】ワイヤレスデバイスの一態様のブロック図。
【図４】ＯＦＤＭ変調器の設計のブロック図。
【図５】Ｍ＝４個の送信アンテナの例示的な例のための適用されたサイクリックシフトをもつサイクリック遅延ダイバーシティを示す図。
【図６】物理レイヤパケットのプリアンブルとペイロードとの例示的な構造を示すブロック図。
【図７Ａ】いくつかの実装形態による、実質的に１ＭＨｚの帯域幅上での送信のための物理レイヤパケットのプリアンブルとペイロードとの例示的な構造を示すブロック図。
【図７Ｂ】シングルセグメントモードによる、実質的に２ＭＨｚの帯域幅上での送信のための物理レイヤパケットのプリアンブルとペイロードとの例示的な構造を示すブロック図。
【図７Ｃ】マルチセグメントモードによる、２ＭＨｚの帯域幅上での送信のための物理レイヤパケットのプリアンブルとペイロードとの例示的な構造を示すブロック図。
【図８Ａ】一実施形態による、２ＭＨｚ実装形態のプリコーディングされた部分についての例示的なサイクリックシフト遅延を示す図。
【図８Ｂ】一実施形態による、２ＭＨｚ実装形態のプリコーディングされた部分についての例示的なサイクリックシフト遅延を示す図。
【図８Ｃ】一実施形態による、２ＭＨｚ実装形態のプリコーディングされた部分についての例示的なサイクリックシフト遅延を示す図。
【図８Ｄ】一実施形態による、２ＭＨｚ実装形態のプリコーディングされた部分についての例示的なサイクリックシフト遅延を示す図。
【図８Ｅ】一実施形態による、２ＭＨｚ実装形態のプリコーディングされた部分についての例示的なサイクリックシフト遅延を示す図。
【図９Ａ】一実施形態による、２ＭＨｚマルチセグメント実装形態のオムニ部分（omni portion）についての例示的なサイクリックシフト遅延を示す図。
【図９Ｂ】一実施形態による、２ＭＨｚマルチセグメント実装形態のオムニ部分についての例示的なサイクリックシフト遅延を示す図。
【図１０Ａ】一実施形態による、１ＭＨｚシングルセグメント実装形態のプリコーディングされた部分についての例示的なサイクリックシフト遅延を示す図。
【図１０Ｂ】一実施形態による、１ＭＨｚシングルセグメント実装形態のプリコーディングされた部分についての例示的なサイクリックシフト遅延を示す図。
【図１０Ｃ】一実施形態による、１ＭＨｚシングルセグメント実装形態のプリコーディングされた部分についての例示的なサイクリックシフト遅延を示す図。
【図１０Ｄ】一実施形態による、１ＭＨｚシングルセグメント実装形態のプリコーディングされた部分についての例示的なサイクリックシフト遅延を示す図。
【図１０Ｅ】一実施形態による、１ＭＨｚシングルセグメント実装形態のプリコーディングされた部分についての例示的なサイクリックシフト遅延を示す図。
【図１０Ｆ】一実施形態による、１ＭＨｚシングルセグメント実装形態のプリコーディングされた部分についての例示的なサイクリックシフト遅延を示す図。
【図１０Ｇ】一実施形態による、１ＭＨｚシングルセグメント実装形態のプリコーディングされた部分についての例示的なサイクリックシフト遅延を示す図。
【図１０Ｈ】一実施形態による、１ＭＨｚシングルセグメント実装形態のプリコーディングされた部分についての例示的なサイクリックシフト遅延を示す図。
【図１０Ｉ】一実施形態による、１ＭＨｚシングルセグメント実装形態のプリコーディングされた部分についての例示的なサイクリックシフト遅延を示す図。
【図１０Ｊ】一実施形態による、１ＭＨｚシングルセグメント実装形態のプリコーディングされた部分についての例示的なサイクリックシフト遅延を示す図。
【図１０Ｋ】一実施形態による、１ＭＨｚシングルセグメント実装形態のプリコーディングされた部分についての例示的なサイクリックシフト遅延を示す図。
【図１０Ｌ】一実施形態による、１ＭＨｚシングルセグメント実装形態のプリコーディングされた部分についての例示的なサイクリックシフト遅延を示す図。
【図１０Ｍ】一実施形態による、１ＭＨｚシングルセグメント実装形態のプリコーディングされた部分についての例示的なサイクリックシフト遅延を示す図。
【図１０Ｎ】一実施形態による、１ＭＨｚシングルセグメント実装形態のプリコーディングされた部分についての例示的なサイクリックシフト遅延を示す図。
【図１０Ｏ】一実施形態による、１ＭＨｚシングルセグメント実装形態のプリコーディングされた部分についての例示的なサイクリックシフト遅延を示す図。
【図１１】１つまたは複数の時空間ストリーム上で通信するための例示的な方法のフローチャート。
【図１２】図１の通信ネットワーク内で採用され得る例示的なワイヤレスデバイスの機能ブロック図。
【図１３】１つまたは複数の時空間ストリーム上で通信するための別の例示的な方法のフローチャート。
【図１４】図１の通信ネットワーク内で採用され得る別の例示的なワイヤレスデバイスの機能ブロック図。
【図１５】１つまたは複数の時空間ストリーム上で通信するための別の例示的な方法のフローチャート。
【図１６】図１の通信ネットワーク内で採用され得る別の例示的なワイヤレスデバイスの機能ブロック図。
【図１７】１つまたは複数の時空間ストリーム上で通信するための別の例示的な方法のフローチャート。
【図１８】図１の通信ネットワーク内で採用され得る別の例示的なワイヤレスデバイスの機能ブロック図。
【詳細な説明】
【００１７】
添付の図面を参照しながら本開示の様々な態様について以下でより詳細に説明する。ただし、本開示は、多くの異なる形態で実施され得、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本開示の他の態様とは無関係に実装されるにせよ、本開示の他の態様と組み合わせて実装されるにせよ、本明細書の本開示のいかなる態様をもカバーするものであることを、当業者なら諒解されたい。たとえば、本明細書に記載の態様をいくつ使用しても、装置は実装され得るか、または方法は実施され得る。さらに、本開示の範囲は、本明細書に記載の本開示の様々な態様に加えてまたはそれらの態様以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００１８】
本明細書では特定の態様について説明するが、これらの態様の多くの変形および置換は本開示の範囲内に入る。説明する態様のいくつかの利益および利点に言及するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および態様についての以下の説明において示す。詳細な説明、および図面は、本開示を限定するものではなく説明するものにすぎない。
【００１９】
本明細書に記載の技法は、直交多重化方式に基づく通信システムを含む、様々なブロードバンドワイヤレス通信システムに使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、マルチプルなユーザ端末に属するデータを同時に送信するために十分に異なる方向を利用し得る。ＴＤＭＡシステムは、送信信号を異なるタイムスロットに分割することによって、マルチプルなユーザ端末が同じ周波数チャネルを共有することを可能にし得、各タイムスロットは異なるユーザ端末に割り当てられる。ＴＤＭＡシステムは、ＧＳＭ（登録商標）または当技術分野で知られている何らかの他の規格を実装し得る。ＯＦＤＭＡシステムは、全システム帯域幅をマルチプルな直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分散されたサブキャリア上で送信するためのインターリーブＦＤＭＡ（ＩＦＤＭＡ）、隣接サブキャリアのブロック上で送信するための局所ＦＤＭＡ（ＬＦＤＭＡ）、または隣接サブキャリアのマルチプルなブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。ＳＣ−ＦＤＭＡシステムは、３ＧＰＰ−ＬＴＥ（第３世代パートナーシッププロジェクトロングタームエボリューション（3rd Generation Partnership Project Long Term Evolution））または他の規格を実装し得る。
【００２０】
普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近隣のデバイスを互いに相互接続するために使用され得る。本明細書で説明する様々な態様は、ＷＩＦＩ（登録商標）など、任意の通信規格に、またはより一般的に、ワイヤレスプロトコルのＩＥＥＥ８０２．１１ファミリーの任意のメンバーに適用され得る。たとえば、本明細書で説明する様々な態様は、サブ１ＧＨｚ帯域を使用することができるＩＥＥＥ８０２．１１ａｈプロトコルの一部として使用され得る。
【００２１】
いくつかの態様では、サブギガヘルツ帯域におけるワイヤレス信号は、直交周波数分割多重化（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装形態は、センサ、メータリング、およびスマートグリッドネットワークのために使用され得る。有利には、８０２．１１ａｈプロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００２２】
いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）およびクライアント（ユーザ端末または「ＳＴＡ」とも呼ばれる）が存在し得る。概して、ＡＰは、ＷＬＡＮのためのハブまたはベースユーザ端末として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るためにＷＩＦＩ（登録商標）（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００２３】
アクセスポイント（「ＡＰ」）はまた、ノードＢ、無線ネットワークコントローラ（「ＲＮＣ」）、ｅノードＢ、ベースユーザ端末コントローラ（「ＢＳＣ」）、ベーストランシーバユーザ端末（「ＢＴＳ」）、ベースユーザ端末（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００２４】
ユーザ端末（「ＵＴ」）はまた、アクセス端末（「ＡＴ」）、加入者ユーザ端末、加入者ユニット、モバイルユーザ端末、リモートユーザ端末、リモート端末、ユーザ端末、ユーザエージェント、ユーザデバイス、ユーザ機器、または何らかの他の用語を含むか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）フォン、ワイヤレスローカルループ（「ＷＬＬ」）ユーザ端末、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２５】
上記で説明したように、本明細書で説明するデバイスのいくつかは、たとえば、８０２．１１ａｈ規格を実装し得る。そのようなデバイスは、ＵＴとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサアプリケーションを与えるか、またはホームオートメーションにおいて使用され得る。デバイスは、代わりにまたは追加として、たとえばパーソナルヘルスケアのためにヘルスケアコンテキストにおいて使用され得る。それらのデバイスはまた、（たとえばホットスポットとともに使用する）拡張された範囲のインターネット接続性を可能にするために、またはマシンツーマシン通信を実装するために、監視のために使用され得る。
【００２６】
図１に、アクセスポイントとユーザ端末とを含む通信システム１００の一態様を示す。システム１００は、たとえば、多元接続多入力多出力（ＭＩＭＯ）システムを備え得る。簡単のために、図１には１つのアクセスポイント１１０だけを示してある。アクセスポイントは、概して、ユーザ端末と通信する固定ユーザ端末であり、ベースユーザ端末としてまたは何らかの他の用語を使用して呼ばれることもある。ユーザ端末は、固定式でも移動式でもよく、モバイルユーザ端末またはワイヤレスデバイスとして、または何らかの他の用語を使用して呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００２７】
システム１００は、ダウンリンクおよびアップリンク上でのデータ伝送のためにマルチプルな送信アンテナおよびマルチプルな受信アンテナを採用する。アクセスポイント１１０は、Ｎap個のアンテナを備え、ダウンリンク伝送では多入力（ＭＩ）を表し、アップリンク伝送では多出力（ＭＯ）を表す。Ｋ個の選択されたユーザ端末１２０のセットは、ダウンリンク伝送では多出力を集合的に表し、アップリンク伝送では多入力を集合的に表す。いくつかの実施形態では、Ｋ個のユーザ端末のためのデータシンボルストリームが、何らかの手段によって、コード、周波数または時間で多重化されない場合、Ｎap≧Ｋ≧１であることが望ましいことがある。いくつかの実施形態では、ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、ユーザ固有のデータをアクセスポイントに送信し、および／またはアクセスポイントからユーザ固有のデータを受信し得る。概して、各選択されたユーザ端末は、１つまたは複数のアンテナを備え得る（すなわち、Ｎut≧１）。Κ個の選択されたユーザ端末は、同じ数のアンテナを有することができ、あるいは１つまたは複数のユーザ端末は、異なる数のアンテナを有し得る。
【００２８】
システム１００は、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。システム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。送信／受信を異なるタイムスロットに分割し、各タイムスロットが異なるユーザ端末１２０に割り当てられ得ることにより、ユーザ端末１２０が同じ周波数チャネルを共有する場合、システム１００はＴＤＭＡシステムでもあり得る。
【００２９】
図２に、システム１００内のアクセスポイント１１０と２つのユーザ端末１２０ｍおよび１２０ｘとのブロック図を示す。アクセスポイント１１０は、Ｎt個のアンテナ２２４ａ〜２２４ｍを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択される。ＮupはＮdnに等しくても等しくなくてもよく、ＮupおよびＮdnは静的値であるかまたはスケジューリング間隔ごとに変化し得る。アクセスポイント１１０および／またはユーザ端末１２０においてビームステアリングまたは何らかの他の空間処理技法が使用され得る。
【００３０】
アップリンク上では、アップリンク伝送のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、ユーザ端末のために選択されたレートに関連するコーディングおよび変調方式に基づいて、ユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、それぞれの送信シンボルストリームを受信および処理（たとえば、アナログ変換、増幅、フィルタ処理、および周波数アップコンバート）してアップリンク信号を生成する。Ｎut,m個の送信機ユニット２５４は、Ｎut,m個のアンテナ２５２からの送信のために、たとえばアクセスポイント１１０に送信するために、Ｎut,m個のアップリンク信号を与える。
【００３１】
いくつかの態様では、Ｎup個のユーザ端末がアップリンク上での同時送信のためにスケジュールされ得る。これらのユーザ端末の各々は、そのそれぞれのデータシンボルストリームに対して空間処理を実行し、アップリンク上で送信シンボルストリームのそれのそれぞれのセットをアクセスポイント１１０に送信し得る。
【００３２】
アクセスポイント１１０において、Ｎap個のアンテナ２２４ａ〜２２４ｍは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理に相補的な処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実行され得る。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００３３】
ダウンリンク上では、アクセスポイント１１０において、ＴＸデータプロセッサ２１０が、ダウンリンク伝送のためにスケジュールされたＮdn個のユーザ端末のためのトラフィックデータをデータソース２０８から受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に与える。ＴＸ空間プロセッサ２２０は、Ｎdn個のダウンリンクデータシンボルストリームに対して（プリコーディングまたはビームフォーミングなどの）空間処理を実行し、Ｎap個の送信シンボルストリームをＮap個のアンテナに与える。各送信機ユニット２２２は、それぞれの送信シンボルストリームを受信し、処理して、ダウンリンク信号を生成する。Ｎap個の送信機ユニット２２２は、Ｎap個のアンテナ２２４からの送信のために、たとえばユーザ端末１２０に送信するために、Ｎap個のダウンリンク信号を与え得る。
【００３４】
各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末１２０に与える。受信機空間処理は、ＣＣＭＩ、ＭＭＳＥ、または何らかの他の技法に従って実行され得る。ＲＸデータプロセッサ２７０は、復元されたダウンリンクデータシンボルストリームを処理（たとえば、復調、デインターリーブおよび復号）して、ユーザ端末のための復号データを取得する。
【００３５】
各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のコントローラ２８０は、一般に、そのユーザ端末のダウンリンクチャネル応答行列Ｈdn,mに基づいてユーザ端末の空間フィルタ行列を導出する。コントローラ２３０は、有効アップリンクチャネル応答行列Ｈup,effに基づいてアクセスポイントに関する空間フィルタ行列を導出する。各ユーザ端末のコントローラ２８０は、フィードバック情報（たとえば、ダウンリンクおよび／またはアップリンク固有ベクトル、固有値、ＳＮＲ推定値など）をアクセスポイント１１０に送り得る。コントローラ２３０およびコントローラ２８０はまた、それぞれ、アクセスポイント１１０およびユーザ端末１２０における様々な処理ユニットの動作を制御し得る。
【００３６】
図３に、通信システム１００内で採用され得るワイヤレスデバイス３０２において利用され得る様々な構成要素を示す。ワイヤレスデバイス３０２は、本明細書で説明する様々な方法を実装するように構成され得るデバイスの一例である。ワイヤレスデバイス３０２は、アクセスポイント１１０またはユーザ端末１２０を実装し得る。
【００３７】
ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、メモリ３０６内に記憶されたプログラム命令に基づいて論理演算および算術演算を実行し得る。メモリ３０６中の命令は、本明細書で説明する方法を実装するように実行可能であり得る。
【００３８】
プロセッサ３０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェア構成要素、専用ハードウェア有限ステートマシン、あるいは情報の計算または他の操作を実行することができる任意の他の好適なエンティティの任意の組合せを用いて実装され得る。
【００３９】
処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたときに、本明細書で説明する様々な機能を処理システムに実行させる。
【００４０】
ワイヤレスデバイス３０２はまた、ワイヤレスデバイス３０２と遠隔ロケーションとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６が、ハウジング３０８に取り付けられ、トランシーバ３１４に電気的に結合され得る。ワイヤレスデバイス３０２はまた、複数の送信機、複数の受信機、複数のトランシーバを含み得る（図示せず）。
【００４１】
ワイヤレスデバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度、および他の信号として検出し得る。ワイヤレスデバイス３０２はまた、信号を処理する際に使用するためのデジタル信号プロセッサ（ＤＳＰ）３２０を含み得る。
【００４２】
ワイヤレスデバイス３０２の様々な構成要素は、データバスに加えて、電力バスと、制御信号バスと、ステータス信号バスとを含み得る、バスシステム３２２によって互いに結合され得る。
【００４３】
いくつかの態様では、図１に示したシステム１００はＯＦＤＭを使用する。上記で説明したように、複数のサブキャリアが、ＯＦＤＭシステムにおいて独立してデータで変調され得る。さらに、ＯＦＤＭシステムのいくつかの態様では、各サブキャリアを送信するために複数の空間チャネルが使用され得る。いくつかの態様では、空間チャネルは空間ストリームと呼ばれる。各空間ストリームは、たとえば、ワイヤレスノードのアンテナに対応し、そのアンテナを使用して送信され得る。以下のいくつかの態様についてＯＦＤＭシステムに関して説明するが、他のシステムが使用され得、システム１００は他の手段または通信モードを実装し得ることを当業者なら諒解されよう。
【００４４】
本明細書で説明するいくつかの態様は、送信に先立ってシンボルをインターリーブまたは置換（permute）するために使用され得る。いくつかの態様では、シンボルは、コードワードに対応するか、またはコードワードのサブセットを備える。シンボルは、コードワードからの連続するシンボルを備え得、選択された空間ストリームを使用して非隣接トーン上で送信され得る。シンボルは、たとえば３２または６４ＱＡＭマッパーによってマッピングされた、変調されたシンボルを備え得、単一のＯＦＤＭシンボル中で送信され得る。他のコードワードからの変調されたシンボルもＯＦＤＭシンボル中で送信され得る。いくつかの態様では、少なくとも１つのコードワードのシンボルが、送信のためにトーンおよび空間ストリームにマッピングされ得る。マッピングによって、コードワードのシンボルはトーンおよび／または空間ストリームのうちで拡散されて、送信するときの周波数、時間、および／または空間ダイバーシティが与えられ得る。
【００４５】
図４に、ＯＦＤＭ変調器４００の設計のブロック図を示す。様々な実施形態では、ＯＦＤＭ変調器４００は、図２の送信機２２２ａ〜２２２ｍおよび送信機２５４ｍ〜３５４ｘｕまたは図３の送信機３１０のうちの１つまたは複数中に含まれ得る。いくつかの実施形態では、ＯＦＤＭ変調器４００は、ＴＸ空間プロセッサ２２０、２９０ｍ、および２９０ｘのうちの１つまたは複数中に含まれ得る。図示した実施形態では、ＯＦＤＭ変調器４００、シンボルツーサブキャリア（symbol-to-subcarrier）マッパー４１０が出力シンボルを受信し、ＮFFT個の総サブキャリアにマッピングする。各ＯＦＤＭシンボル期間において、ＩＦＦＴ４１２は、ＮFFT点逆離散フーリエ変換（ＩＤＦＴ）を用いてＮFFT個の総サブキャリアのためのＮFFT個の出力シンボルを時間領域に変換し、ＮFFT個の時間領域サンプルを含んでいる有効部分を与える。各サンプルは、１チップ期間中に送信されるべき複素数値であり得る。並直列（Ｐ／Ｓ：parallel-to-serial）変換器４１４が、有効部分中のＮFFT個のサンプルを直列化することができる。サイクリックプレフィックス生成器４１６が、有効部分の最後のＮcp個のサンプルをコピーすることができ、これらのＮcp個のサンプルを有効部分の前方に付加して、ＮFFT＋Ｎcp個のサンプルを含んでいるＯＦＤＭシンボルを形成し、ここで、Ｎcpは、以下で説明するサイクリックプレフィックスである。したがって、各ＯＦＤＭシンボルは、ＮFFT個のサンプルの有効部分と、Ｎcp個のサンプルのサイクリックプレフィックスとを含んでいる。サイクリックプレフィックスは、ワイヤレスチャネル中の遅延拡散によって引き起こされるシンボル間干渉（ＩＳＩ）とキャリア間干渉（ＩＣＩ）とを低減するために使用され得る。
【００４６】
いくつかの実施形態では、基地局から送信するためにサイクリック遅延ダイバーシティ（ＣＤＤ：cyclic delay diversity）方式が使用され得る。サイクリック遅延ダイバーシティ（ＣＤＤ）を使用して、ＭＩＭＯ送信において周波数ダイバーシティを生み出すことができ、それにより誤り率性能が改善され得る。サイクリック遅延ダイバーシティを用いると、各送信アンテナのＯＦＤＭシンボルは、以下で説明するように、異なる量だけ循環的に遅延され得る。Ｍ個の異なる循環的に遅延された信号は、Ｍ個の送信アンテナから送信され得る。
【００４７】
本開示の一実施形態では、（ゼロの基準サイクリック遅延をもつ１つの送信アンテナを除く）各送信アンテナのサイクリック遅延ｔmは、システムにおける最大予想遅延拡散よりも大きくなるように選択され得る。サイクリックプレフィックス長Ｎcpは、それがシステムにおける最大予想遅延拡散よりも大きくなるように選択され得る。したがって、各送信アンテナのサイクリック遅延は、サイクリックプレフィックス長の整数倍になるように選択され得る。
【００４８】
いくつかの実施形態では、サイクリック遅延は、サイクリックシフト遅延（ＣＳＤ：cyclic shift delay）モジュールにおいて実装され得る。ＣＳＤモジュールは、他のシンボルストリームに対して、たとえば第１のストリームに対して、インターリーブされたトーンに関連するかまたはマッピングされたシンボルを遅延分だけシフトさせることができる。いくつかの態様では、各ＣＳＤモジュールは、それぞれのストリームにおいてコードワードに関連付けられたシンボルを受信し、それぞれの遅延分だけシンボルをシフトさせる。様々な実施形態では、ＣＳＤモジュールは、ＡＰ１１０またはＵＴ１２０の任意の構成要素に組み込まれ得る。
【００４９】
図５に、Ｍ＝４個の送信アンテナの例示的な例のための適用されたサイクリックシフトをもつサイクリック遅延ダイバーシティを示す。送信アンテナ０はゼロのサイクリックシフトを有し得、有効部分は、この送信アンテナについて０個のサンプル分だけ循環的にシフト／遅延され得る。送信アンテナ１は、Ｎcpのサイクリックシフトを有し得、有効部分は、この送信アンテナについてＮcp個のサンプル分だけ循環シフトされ得る。送信アンテナ２は、２Ｎcpのサイクリックシフトを有し得、有効部分は、この送信アンテナについて２Ｎcp個のサンプル分だけ循環シフトされ得る。送信アンテナ３は、３Ｎcpのサイクリックシフトを有し得、有効部分は、この送信アンテナのために３Ｎcp個のサンプル分だけ循環シフトされ得る。
【００５０】
本明細書で説明するように、ＡＰ１１０およびＵＴ１２０は、ストリーム帯域幅に基づいて、交換されたデータユニットに異なるＣＳＤテーブルを適用することができる。たとえば、図８Ａ〜図８Ｅおよび図９Ａ〜図９Ｂに示すＣＳＤテーブルのうちの１つまたは複数が２ＭＨｚストリームに適用され得、図１０Ａ〜図１０Ｏに示すＣＳＤテーブルのうちの１つまたは複数が１ＭＨｚストリームに適用され得る。いくつかの実施形態では、交換されたデータユニットは、物理（ＰＨＹ）レイヤパケットまたは物理レイヤプロトコルデータユニット（ＰＰＤＵ）の形態の、制御情報またはデータを含み得る。図６および図７Ａ〜図７Ｃに関して以下で説明するように、いくつかの実施形態では、ＰＰＤＵは、たとえば、シングルセグメント（ＳＳ：single-segment）フォーマットおよびマルチセグメント（ＭＳ：multi-segment）フォーマットなど、１つまたは複数のフレームフォーマットを含むことができる。様々な実施形態では、シングルセグメントフレームフォーマット（ＳＳＦＦ）およびシングルセグメントモード（ＳＳＭ）は、それぞれ「シングルユーザ」フレームフォーマットおよび「シングルユーザ」モードと呼ばれることがある。さらに、マルチセグメントフレームフォーマット（ＭＳＦＦ）およびマルチプルセグメントモード（ＭＳＭ）は、それぞれ「マルチユーザ」フレームフォーマットおよび「マルチユーザ」モードと呼ばれることがある。様々な実施形態では、ＡＰ１１０およびＵＴ１２０は、ストリーム帯域幅および／またはフレームフォーマットに基づいて、交換されたデータユニットに異なるＣＳＤテーブルを適用することができる。さらに、ＡＰ１１０およびＵＴ１２０は、交換されたデータユニットの異なる部分に異なるＣＳＤテーブルを適用することができる。
【００５１】
図６は、物理レイヤパケット６００のプリアンブル６０２とペイロード６１０との例示的な構造を示すブロック図である。プリアンブル６０２は、既知の値のＳＴＦシーケンスを含むショートトレーニングフィールド（ＳＴＦ）６０４を含み得る。いくつかの態様では、ＳＴＦは、パケット検出のために（たとえば、パケットの開始を検出するために）および粗い時間／周波数推定のために使用され得る。ＳＴＦシーケンスは、低いＰＡＰＲを有するように最適化され、特定の周期性をもつ非ゼロトーンのサブセットを含み得る。ＳＴＦ６０４は１つまたは複数のＯＦＤＭシンボルにまたがり得る。プリアンブル６０２は、１つまたは複数のＯＦＤＭシンボルにまたがり得、既知の非ゼロ値の１つまたは複数のＬＴＦシーケンスを含み得る、ロングトレーニングフィールド（ＬＴＦ）６０６をさらに含み得る。ＬＴＦは、チャネル推定、精細な時間／周波数推定、およびモード検出のために使用され得る。プリアンブル６０２は、上記で説明したように信号フィールド（ＳＩＧ）６０８をさらに含み得、ＳＩＧ６０８は、一態様では、モード検出目的と送信パラメータの決定とのために使用されるいくつかのビットまたは値を含み得る。
【００５２】
上記で説明したように、本明細書で説明するいくつかの実装形態は、スマートメータリングのためにまたはスマートグリッドネットワークにおいて使用され得るワイヤレス通信システムを対象とし得る。これらのワイヤレス通信システムは、センサアプリケーションを提供するために使用されるか、またはホームオートメーションにおいて使用され得る。そのようなシステムにおいて使用されるワイヤレスデバイスは、代わりにまたは追加として、ヘルスケアコンテキストにおいて、たとえば、パーソナルヘルスケアのために使用され得る。それらのデバイスはまた、（たとえば、ホットスポットとともに使用する）拡張された範囲のインターネット接続性を可能にするために、またはマシンツーマシン通信を実装するために、監視のために使用され得る。したがって、いくつかの実装形態は、約１５０Ｋｐｂｓなどの低いデータレートを使用し得る。実装形態は、さらに、８０２．１１ｂなどの他のワイヤレス通信よりも増加したリンクバジェット利得（たとえば、約２０ｄＢ）を有し得る。低いデータレートに従って、ワイヤレスノードが家庭環境において使用するために構成された場合、いくつかの態様は、電力増幅を用いることなく良好な家庭内カバレージの実装形態を対象とし得る。さらに、いくつかの態様は、ＭＥＳＨプロトコルを使用することなくシングルホップネットワーキングを対象とし得る。さらに、いくつかの実装形態により、他のワイヤレスプロトコルよりも、電力増幅を用いた著しい屋外カバレージの改善がもたらされ得る。さらに、いくつかの態様は、大きい屋外遅延拡散とドップラーに対する感度低下とに適応し得る実装形態を対象とし得る。いくつかの実装形態は、従来のＷＩＦＩ（登録商標）と同様のＬＯ精度を達成し得る。
【００５３】
したがって、いくつかの実装形態は、サブギガヘルツ帯域でワイヤレス信号を送信および受信することを対象とする。一態様では、これにより、たとえば、（たとえば、９００ＭＨｚ対２．４ＧＨｚにより利用可能な）１４．５ｄＢの伝搬利得（propagation gain）が生じ得る。別の態様では、サブギガヘルツ信号を使用することによって障害損失（obstruction loss）が低減され得、これにより、たとえば、３ｄＢの利得が生じ得る。
【００５４】
いくつかの実装形態は、サブギガヘルツ帯域中の低い帯域幅を用いてワイヤレス信号を送ることをさらに対象とする。これは、他のワイヤレス通信システムよりも大きいリンクバジェット利得を達成することをさらに可能にし得る。たとえば、例示的な一実装形態では、シンボルは、１ＭＨｚの帯域幅を使用して送信または受信されるように構成され得る。ワイヤレスデバイス３０２は、いくつかのモードのうちの１つで動作するように構成され得る。あるモードでは、ＯＦＤＭシンボルなどのシンボルが、１ＭＨｚの帯域幅を使用して送信または受信され得る。別のモードでは、シンボルが、２ＭＨｚの帯域幅を使用して送信または受信され得る。４ＭＨｚ、８ＭＨｚ、１６ＭＨｚなどの帯域幅を使用してシンボルを送信または受信するための追加のモードも与えられ得る。帯域幅はチャネル幅と呼ばれることもある。
【００５５】
各モードは、情報を送信するために異なる数のトーン／サブキャリアを使用し得る。たとえば、一実装形態では、１ＭＨｚモード（１ＭＨｚの帯域幅を使用してシンボルを送信または受信することに対応する）は、３２個のトーンを使用し得る。一態様では、１ＭＨｚモードを使用することは、２０ＭＨｚなどの帯域幅と比較して１３ｄＢの雑音低減を実現し得る。さらに、チャネル状態に応じて４〜５ｄＢの損失を生じ得る、より低い帯域幅に起因する周波数ダイバーシティ損失などの影響を克服するために、低レート技法が使用され得る。３２個のトーンを使用して送信または受信されるシンボルを生成／評価するために、上記で説明した変換モジュール３０４または４０４は、３２点モード（たとえば、３２点ＩＦＦＴまたはＦＦＴ）を使用するように構成され得る。３２個のトーンは、データトーン、パイロットトーン、ガードトーン、およびＤＣトーンとして割り当てられ得る。一実装形態では、２４個のトーンがデータトーンとして割り当てられ得、２つのトーンがパイロットトーンとして割り当てられ得、５つのトーンがガードトーンとして割り当てられ得、１つのトーンがＤＣトーンのために予約され得る。この実装形態では、シンボル持続時間は、サイクリックプレフィックスを含めて４０μｓになるように構成され得る。
【００５６】
１ＭＨｚモードに加えて、６４個のトーンを使用してシンボルを送信および受信するために使用され得る、２ＭＨｚモードがさらに利用可能であり得る。一実装形態では、６４個のトーンは、５２個のデータトーン、４個のパイロットトーン、１個のＤＣトーン、および１３個のガードトーンとして割り当てられ得る。したがって、変換モジュール３０４または４０４は、２ＭＨｚシンボルを送信または受信するときに、６４点モードに従って動作するように構成され得る。また、シンボル持続時間は、サイクリックプレフィックスを含む４０μｓであり得る。対応する異なるサイズのモードで動作する変換モジュール３０４または４０４（たとえば、１２８点ＦＦＴ、２５６点ＦＦＴ、５１２点ＦＦＴなど）を使用し得る、異なる帯域幅（たとえば、４ＭＨｚ、８ＭＨｚ、および１６ＭＨｚ）を用いた追加のモードが与えられ得る。さらに、上記で説明したモードの各々は、さらに、シングルセグメントモードとマルチセグメントモードの両方に従って構成され得る。２ＭＨｚ以下の帯域幅を使用するワイヤレス信号は、帯域幅、電力、およびチャネルの制限の広い範囲にわたってグローバル規制制約を満たすように構成されたワイヤレスノードを与えるための様々な利点を与え得る。
【００５７】
図６を参照すると、上記で説明した帯域幅を用いてサブギガヘルツ帯域中でパケットを送信するときには、プリアンブル６０２は、異なるモードの間で検出するためにプリアンブルの初期状態でロバストなモード検出を有するように設計され得る。プリアンブル６０２は、さらに、オーバーヘッドを最小限に抑えることと、１ＭＨｚモードを使用して送信するデバイスと２ＭＨｚ以上のモードを使用して送信するデバイスとの適切な共存をもたらすこととを行うように最適化され得る。プリアンブル６０２は、１ＭＨｚ送信（３２点ＦＦＴ）と２ＭＨｚ送信（６４点ＦＦＴ）との間で検出するためにプリアンブルの初期状態でロバストなモード検出を有するように設計され得る。物理レイヤパケット６００は、一態様では、より大きい距離にわたるデータの送信を可能にするために、異なるデータレート用の送信のために生成され得る。たとえば、物理レイヤパケット６００は、上記で説明したように、別の「通常」データレートとともに低いデータレート用に生成され得る。
【００５８】
図７Ａは、いくつかの実装形態による、実質的に１ＭＨｚの帯域幅上での送信のための物理レイヤパケット７００ａのプリアンブル７０２ａとペイロード７１０ａとの例示的な構造を示すブロック図である。プリアンブル７０２ａはショートトレーニングフィールド（ＳＴＦ）７０４ａを含み得る。ＳＴＦ７０４ａは、特に選定された周期性をもつ非ゼロトーンのサブセットに対応する非ゼロ値のサブセットをもつ既知の値のシーケンスを含み得る。非ゼロトーンの周期性は、２ＭＨｚなどのより高い帯域幅中で使用されるＳＴＦシーケンスのために使用されるのと同じであり得る。いくつかの実装形態では、ＳＴＦフィールド７０４ａは、範囲拡張の場合、３ｄＢ分など、ブーストされ得る。一実施形態では、ＳＴＦフィールド７０４ａは、単独でならびに電力ブースティングと併せて、反復コーディングされ得る。ＳＴＦ７０４ａは４つのＯＦＤＭシンボルにわたって送られ得、各シンボルは既知のＳＴＦシーケンスを繰り返す。
【００５９】
プリアンブル７０２ａはロングトレーニングフィールド（ＬＴＦ）７０６ａをさらに含み得る。ＬＴＦ７０６ａは、４つのＯＦＤＭシンボルから形成され得、各シンボル中で送信されるＬＴＦシーケンスを含み得る。ＬＴＦシーケンスは、すべてのパイロットおよびデータのトーンについて非ゼロトーンに対応する既知の非ゼロ値から形成され得る。いくつかの実装形態では、ＬＴＦシーケンスは、したがって２６個の非ゼロ値を含み得る。
【００６０】
プリアンブル７０２ａはシグナリングフィールド（ＳＩＧ）７０８ａをさらに含み得る。いくつかの例示的な実装形態では、ＳＩＧフィールド７０８ａは反復コーディングされ得る。いくつかの実装形態では、ＳＩＧフィールド７０８ａは２×反復コーディングされ得る。物理レイヤパケット７００ａは、データのために割り当てられた各ＯＦＤＭシンボル中で２４個のトーンを使用して生成され得るペイロード７１０ａをさらに含み得る。プリアンブル７０２ａは、低いレートまたは通常レートのいずれかの１ＭＨｚ送信を生成するために使用され得る。プリアンブル７０２ａはシングルセグメントモードに従って使用され得る。
【００６１】
図７Ｂは、シングルセグメントモードによる、実質的に２ＭＨｚの帯域幅上での送信のための物理レイヤパケット７００ｂのプリアンブル７０２ｂとペイロード７１０ｂとの例示的な構造を示すブロック図である。プリアンブル７０２ｂはショートトレーニングフィールド（ＳＴＦ）７０４ｂを含み得る。ＳＴＦ７０４ｂは、決定された周期性をもつ６４個のトーン上での非ゼロトーンのサブセットに対応する非ゼロ値のサブセットをもつ既知の値のシーケンスを含み得る。非ゼロトーンの周期性は、１ＭＨｚ送信のために使用されるＳＴＦシーケンスのために使用されるのと同じものであり得る。プリアンブル７０２ｂはロングトレーニングフィールド（ＬＴＦ）７０６ｂをさらに含み得る。ＬＴＦ７０６ｂは、２つのＯＦＤＭシンボルから形成され得、各シンボル中で送信されるＬＴＦシーケンスを含み得る。ＬＴＦシーケンスは、すべてのパイロットおよびデータトーンについて、非ゼロトーンに対応する非ゼロ値を備え得る。ＬＴＦシーケンスは、したがって、いくつかの実装形態では５６個の非ゼロ値を含み得る。プリアンブル７０２ｂはシグナリングフィールド（ＳＩＧ）７０８ｂをさらに含み得る。ＳＩＧフィールド７０８ｂは２つのＯＦＤＭシンボルから形成され得る。ＳＩＧフィールド７０８ｂの２つのＯＦＤＭシンボルは、それぞれＱＢＰＳＫ回転され得る。２つ以上の空間ストリームが使用されている場合、（たとえば、２つ以上ある場合、ＬＴＦ７０４ｂが第１の空間ストリームに対応し得るので）プリアンブル７０２ｂは、使用されている追加の空間ストリームの各々について追加のロングトレーニングフィールド（ＬＴＦ）７１６ｂを含み得る。物理レイヤパケット７００ｂは、データのために割り当てられた各ＯＦＤＭシンボル中で５２個のトーンを使用して生成され得るペイロード７１０ｂをさらに含み得る。プリアンブル７０２ｂはシングルセグメントモードに従って使用され得る。
【００６２】
図７Ｃは、マルチセグメントモードによる、２ＭＨｚの帯域幅上での送信のための物理レイヤパケット７００ｃのプリアンブル７０２ｃとペイロード７１０ｃとの例示的な構造を示すブロック図である。プリアンブル７０２ｃはショートトレーニングフィールド（ＳＴＦ）７０４ｃを含み得る。ＳＴＦ７０４ｃは、決定された周期性をもつ６４個のトーン上での非ゼロトーンのサブセットに対応する非ゼロ値のサブセットをもつ既知の値のシーケンスを含み得る。非ゼロトーンの周期性は、１ＭＨｚ送信のために使用されるＳＴＦシーケンスのために使用されるのと同じものであり得る。プリアンブル７０２ｃはロングトレーニングフィールド（ＬＴＦ）７０６ｃをさらに含み得る。ＬＴＦ７０６ｃは、２つのＯＦＤＭシンボルから形成され得、各シンボル中で送信されるＬＴＦシーケンスを含み得る。ＬＴＦシーケンスは、すべてのパイロットおよびデータトーンについて、非ゼロトーンに対応する非ゼロ値を備え得る。ＬＴＦシーケンスは、したがって、いくつかの実装形態によれば５６個の非ゼロ値を含み得る。プリアンブル７０２ｃはシグナリングフィールド（ＳＩＧ）７０８ｃをさらに含み得る。ＳＩＧフィールド７０８ｃは２つのＯＦＤＭシンボルから形成され得る。ＳＩＧフィールド７０８ｃの２つのＯＦＤＭシンボルのうちの第１のＯＦＤＭシンボルは、ＱＢＰＳＫ回転され得る。一態様では、これにより、受信機は、ＳＩＧフィールドシンボルのうちの１つのみがＱＢＰＳＫ回転されるかどうかに基づいて、パケット７００ｃがマルチユーザモードパケットであるのかシングルセグメントモードパケットであるのかを検出することが可能になる。プリアンブル７０２ｃは超高スループットショートトレーニングフィールド（ＶＨＴ−ＳＴＦ：very high throughput short training field）７１４ｃをさらに含み得る。ＶＨＴ−ＳＴＦ７１４ｃは、ＩＥＥＥ８０２．１１ａｃ送信のために使用されるＶＨＴ−ＳＴＦに対応し得る。プリアンブル７０２ｃは、使用されている各空間ストリームに対応する１つまたは複数の超高スループットロングトレーニングフィールド（ＶＨＴ−ＬＴＦ：very high throughput long training field）７１６ｃをさらに含み得る。ＶＨＴ−ＬＴＦ７１６ｃは、ＩＥＥＥ８０２．１１ａｃ送信のために使用されるＶＨＴ−ＬＴＦに対応し得る。プリアンブル７０２ｃは超高スループット信号フィールド（ＶＨＴ−ＳＩＧ−Ｂ：very high throughput signal field）７１８ｃをさらに含み得る。ＶＨＴ−ＳＩＧ−Ｂ７１８ｃは、ＩＥＥＥ８０２．１１ａｃ送信のために使用されるＶＨＴ−ＳＩＧ−Ｂに対応し得る。物理レイヤパケット７００ｃは、データのために割り当てられた各ＯＦＤＭシンボル中で５２個のトーンを使用して生成され得るペイロード７１０ｃをさらに含み得る。プリアンブル７０２ｃはマルチセグメントモードに従って使用され得る。
【００６３】
一実施形態では、物理レイヤパケット７００ｃは、オムニ部分７５０と、プリコーディングされた部分７６０とに分割され得る。オムニ部分７５０は、ＳＴＦ７０４ｃと、ＬＴＦ７０６ｃと、ＳＩＧフィールド７０８ｃとのシングルストリーム送信であり得る。オムニ部分７５０の１つまたは複数のフィールドは、Ｎ＿ｔｘ個の送信アンテナにマッピングすることができる、最高Ｎ＿ｔｘ個の同等のストリームに複製され得る。プリコーディングされた部分７６０は、Ｎ＿ｓｔｓ個のユニークなデータストリームを搬送することができ、各データストリームについて、ＶＨＴ−ＳＴＦ７１４ｃ、ＶＨＴ−ＬＴＦ７１６ｃ、ＶＨＴ−ＳＩＧ−Ｂ７１８ｃ、およびペイロード７１０ｃを含むことができる。したがって、オムニ部分７５０とプリコーディングされた部分７６０の両方は、それ自体のＳＴＦセクションと、符号化されたデータペイロードセクションとを有することができる。したがって、一実施形態では、別個のＣＳＤ値が、オムニ部分７５０およびプリコーディングされた部分７６０に適用され得る。プリコーディングされた部分７６０のためのＣＳＤテーブルは、上記で説明した方法および基準に従って決定され得る。オムニ部分７５０のためのＣＳＤテーブルは、以下の方法および基準に従って決定され得る。  
【数１】
0006309455.tif 000002
【００６４】
時空間ストリームの各数について、ＣＳＤの組合せが、チャネルモデルのセットにわたってメトリックに関して最適になるように選定され得る。チャネルモデルは、たとえば、Ｄ−ＮＬＯＳ（伸張（stretched））、ＳＣＭアーバンマクロ、および／または「ＡＷＧＮ」（すなわち、ランダム位相をもつフラットフェージング）を含むことができる。チャネルモデルの任意の組合せが使用され得る。様々な実施形態では、等しい優先度が異なるチャネルに与えられ得、等しい重みが飽和および量子化コストに与えられ得る。一実施形態では、ＣＳＤ選択メトリックは、ＡＢＳ（ＭＩＮ（５パーセンタイル））＋ＡＢＳ（ＭＡＸ（９５パーセンタイル））として定量化され得、ここで、ＭＡＸおよびＭＩＮは、考慮されているチャネルモデルを調べており、メトリックは点線ＲＥＤ距離（dotted RED distances）の和である。別の実施形態では、ＣＳＤ選択メトリックは、５パーセンタイル点と９５パーセンタイル点との間の距離として定量化され得る。いずれかの定量化が、単一のチャネルモデル内で、または複数のチャネルモデルにわたって適用され得る。
【００６５】
一実施形態では、選択基準は、２マイクロ秒の倍数である候補ＣＳＤからのみＣＳＤの組合せを選択することができる。送信機３１０では、ストリーム単位ＣＳＤが、複素シンボルの位相回転を通して（ＩＦＦＴより前に、周波数領域において）各サブキャリアに適用され得る。これらの乗算は、所与のＳＴＦ期間（たとえば、１ＭＨｚおよび２ＭＨｚ実装形態では８μｓ期間）についてＣＳＤが一様であるときに実装するのがより容易である、サインおよび／またはコサイン演算を伴い得る。別の実施形態では、選択基準は、たとえば、０μｓ、２μｓ、４μｓ、６μｓなど、制限されたセットからのみ２ＭＨｚ実装形態のためのＣＳＤの組合せを選択することができる。
【００６６】
一実施形態では、２ＭＨｚのＣＳＤは０．５μｓのグラニュラリティを有することができる。それと比較して、１ＭＨｚのＣＳＤは１μｓのグラニュラリティを有することができる。様々な実施形態では、ＣＳＤは、０μｓと−７．５μｓとの間の値（両端値を含む）から選ばれ得る。
【００６７】
図８Ａに、一実施形態による、２ＭＨｚ実装形態のプリコーディングされた部分についての例示的なサイクリックシフト遅延を示す。図８Ａに示すＣＳＤはシングルセグメントフレームとマルチセグメントフレームの両方に適用され得る。第１列に示された時空間ストリームの各数について、図８Ａは、ストリーム（１〜４）のうちの１つについてのサイクリックシフトを示している。サイクリックシフトはμｓで示されている。４つのストリームが示されているが、任意の数のストリームが使用され得る。図８Ａに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。各行内で、各アクティブストリームの値は、一般性の損失なしに並べ替えられ得る。いくつかの実施形態では、各時空間ストリームは異なる送信アンテナに関連し得る。
【００６８】
図８Ａに示すように、１つのアクティブ時空間ストリームがある実施形態では、ストリームは遅延を有しない。２つのアクティブ時空間ストリームがある実施形態では、ストリーム１は遅延を有せず、ストリーム２は４μｓだけ遅延される。様々な実施形態では、２つのストリームがあるときには、ストリーム遅延は、周期内で実質的に一様に分配され得る。周期は、たとえば、シンボル期間および／またはショートトレーニングフィールド（ＳＴＦ）期間であり得る。図示した実施形態では、周期は８μｓである。
【００６９】
さらに図８Ａを参照すると、３つのアクティブ時空間ストリームがある実施形態では、ストリーム１は遅延を有せず、ストリーム２は４μｓだけ遅延され、ストリーム３は２μｓだけ遅延される。代替実施形態では、ストリーム３は６μｓだけ遅延され得る。様々な実施形態では、３つのストリームがあるときには、ストリーム遅延は、周期内の４つの実質的に一様に分配された遅延値の中から３つを取ることができる。
【００７０】
さらに図８Ａを参照すると、４つのアクティブ時空間ストリームがある実施形態では、ストリーム１は遅延を有せず、ストリーム２は４μｓだけ遅延され、ストリーム３は２μｓだけ遅延され、ストリーム４は６μｓだけ遅延される。様々な実施形態では、４つのストリームがあるときには、ストリーム遅延は、周期内で実質的に一様に分配され得る。
【００７１】
図８Ｂに、別の実施形態による、２ＭＨｚ実装形態のプリコーディングされた部分についての例示的なサイクリックシフト遅延を示す。図８Ｂに示すＣＳＤはシングルセグメントフレームとマルチセグメントフレームの両方に適用され得る。一実施形態では、図８Ｂに示す遅延を実装するデバイスはショートガードインターバル（ＳＧＩ：short guard interval）を実装することができる。ＳＧＩを使用した実施形態では、サイクリックシフト遅延がＳＧＩの持続時間以下になることが望ましいことがある。図８Ｂに示す例では、ＳＧＩは４μｓである。
【００７２】
第１列に示された時空間ストリームの各数について、図８Ｂは、ストリーム（１〜４）のうちの１つについてのサイクリックシフトを示している。サイクリックシフトはμｓで示されている。４つのストリームが示されているが、任意の数のストリームが使用され得る。図８Ｂに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。各行内で、各アクティブストリームについての値は、一般性の損失なしに並べ替えられ得る。いくつかの実施形態では、各時空間ストリームは異なる送信アンテナに関連し得る。
【００７３】
図８Ｂに示すように、１つのアクティブ時空間ストリームがある実施形態では、ストリームは遅延を有しない。２つのアクティブ時空間ストリームがある実施形態では、ストリーム１は遅延を有せず、ストリーム２は２μｓだけ遅延される。様々な実施形態では、２つのストリームがあるときには、ストリーム遅延は、ＳＧＩの持続時間内で実質的に一様に分配され得る。図示した実施形態では、ＳＧＩの持続時間は４μｓである。
【００７４】
さらに図８Ｂを参照すると、３つのアクティブ時空間ストリームがある実施形態では、ストリーム１は遅延を有せず、ストリーム２は２μｓだけ遅延され、ストリーム３は１μｓだけ遅延される。代替実施形態では、ストリーム３は３μｓだけ遅延され得る。様々な実施形態では、３つのストリームがあるときには、ストリーム遅延は、ＳＧＩの持続時間内の４つの実質的に一様に分配された遅延値の中から３つを取ることができる。
【００７５】
さらに図８Ｂを参照すると、４つのアクティブ時空間ストリームがある実施形態では、ストリーム１は遅延を有せず、ストリーム２は２μｓだけ遅延され、ストリーム３は１μｓだけ遅延され、ストリーム４は３μｓだけ遅延される。様々な実施形態では、４つのストリームがあるときには、ストリーム遅延は、ＳＧＩの持続時間内で実質的に一様に分配され得る。
【００７６】
図８Ｃに、別の実施形態による、２ＭＨｚ実装形態のプリコーディングされた部分についての例示的なサイクリックシフト遅延を示す。図８Ｃに示すＣＳＤはシングルセグメントフレームとマルチセグメントフレームの両方に適用され得る。第１列に示された時空間ストリームの各数について、図８Ｃは、ストリーム（１〜４）のうちの１つについてのサイクリックシフトを示している。サイクリックシフトはμｓで示されている。４つのストリームが示されているが、任意の数のストリームが使用され得る。図８Ｃに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００７７】
図８Ｃに示すように、１つのアクティブ時空間ストリームがある実施形態では、ストリームは遅延を有しない。２つのアクティブ時空間ストリームがある実施形態では、ストリーム１は遅延を有せず、ストリーム２は５μｓだけ遅延される。３つのアクティブ時空間ストリームがある実施形態では、ストリーム１は遅延を有せず、ストリーム２は５μｓだけ遅延され、ストリーム３は３μｓだけ遅延される。４つのアクティブ時空間ストリームがある実施形態では、ストリーム１は遅延を有せず、ストリーム２は５μｓだけ遅延され、ストリーム３は３μｓだけ遅延され、ストリーム４は７μｓだけ遅延される。
【００７８】
図８Ｄに、別の実施形態による、２ＭＨｚ実装形態のプリコーディングされた部分についての例示的なサイクリックシフト遅延を示す。図８Ｄに示すＣＳＤはシングルセグメントフレームとマルチセグメントフレームの両方に適用され得る。第１列に示された時空間ストリームの各数について、図８Ｄは、ストリーム（１〜４）のうちの１つについてのサイクリックシフトを示している。サイクリックシフトはμｓで示されている。４つのストリームが示されているが、任意の数のストリームが使用され得る。図８Ｄに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００７９】
図８Ｄに示すように、１つのアクティブ時空間ストリームがある実施形態では、ストリームは遅延を有しない。２つのアクティブ時空間ストリームがある実施形態では、ストリーム１は遅延を有せず、ストリーム２は３μｓだけ遅延される。３つのアクティブ時空間ストリームがある実施形態では、ストリーム１は遅延を有せず、ストリーム２は３μｓだけ遅延され、ストリーム３は５μｓだけ遅延される。４つのアクティブ時空間ストリームがある実施形態では、ストリーム１は遅延を有せず、ストリーム２は３μｓだけ遅延され、ストリーム３は５μｓだけ遅延され、ストリーム４は７μｓだけ遅延される。
【００８０】
図８Ｅに、一実施形態による、２ＭＨｚ実装形態のプリコーディングされた部分についての例示的なサイクリックシフト遅延を示す。図８Ｅに示すＣＳＤはシングルセグメントフレームとマルチセグメントフレームの両方に適用され得る。第１列に示された時空間ストリームの各数について、図８Ｅは、ストリーム（１〜４）のうちの１つについてのサイクリックシフトを示している。サイクリックシフトはμｓで示されている。４つのストリームが示されているが、任意の数のストリームが使用され得る。図８Ｅに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００８１】
図８Ｅに示すように、１つのアクティブ時空間ストリームがある実施形態では、ストリームは遅延を有しない。２つのアクティブ時空間ストリームがある実施形態では、ストリーム１は遅延を有せず、ストリーム２は３μｓだけ遅延される。３つのアクティブ時空間ストリームがある実施形態では、ストリーム１は遅延を有せず、ストリーム２は３μｓだけ遅延され、ストリーム３は５μｓだけ遅延される。４つのアクティブ時空間ストリームがある実施形態では、ストリーム１は遅延を有せず、ストリーム２は３μｓだけ遅延され、ストリーム３は５μｓだけ遅延され、ストリーム４は１μｓだけ遅延される。
【００８２】
図９Ａに、一実施形態による、２ＭＨｚマルチセグメント実装形態のオムニ部分についての例示的なサイクリックシフト遅延を示す。一実施形態では、図９Ａに示すＣＳＤはマルチセグメントフレームに適用され得る。第１列に示された送信アンテナの各数について、図９Ａは、アンテナ（１〜４）のうちの１つについてのサイクリックシフトを示している。サイクリックシフトはμｓで示されている。４つのアンテナが示されているが、任意の数のアンテナが使用され得る。図９Ａに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各アンテナは異なる時空間ストリームに関連し得る。
【００８３】
図９Ａに示すように、１つのアクティブアンテナがある実施形態では、アンテナは遅延を有しない。２つのアクティブアンテナがある実施形態では、アンテナ１は遅延を有せず、アンテナ２は４μｓだけ遅延される。３つのアクティブアンテナがある実施形態では、アンテナ１は遅延を有せず、アンテナ２は４μｓだけ遅延され、アンテナ３は２μｓだけ遅延される。４つのアクティブアンテナがある実施形態では、アンテナ１は遅延を有せず、アンテナ２は４μｓだけ遅延され、アンテナ３は２μｓだけ遅延され、アンテナ４は６μｓだけ遅延される。
【００８４】
図９Ｂに、別の実施形態による、２ＭＨｚマルチセグメント実装形態のオムニ部分についての例示的なサイクリックシフト遅延を示す。一実施形態では、図９Ｂに示すＣＳＤはマルチセグメントフレームに適用され得る。第１列に示された送信アンテナの各数について、図９Ｂは、アンテナ（１〜４）のうちの１つについてのサイクリックシフトを示している。サイクリックシフトはμｓで示されている。４つのアンテナが示されているが、任意の数のアンテナが使用され得る。図９Ｂに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各アンテナは異なる時空間ストリームに関連し得る。
【００８５】
図９Ｂに示すように、１つのアクティブアンテナがある実施形態では、アンテナは遅延を有しない。２つのアクティブアンテナがある実施形態では、アンテナ１は遅延を有せず、アンテナ２は３μｓだけ遅延される。３つのアクティブアンテナがある実施形態では、アンテナ１は遅延を有せず、アンテナ２は３μｓだけ遅延され、アンテナ３は５μｓだけ遅延される。４つのアクティブアンテナがある実施形態では、アンテナ１は遅延を有せず、アンテナ２は３μｓだけ遅延され、アンテナ３は５μｓだけ遅延され、アンテナ４は１μｓだけ遅延される。
【００８６】
図１０Ａに、一実施形態による、１ＭＨｚシングルセグメント実装形態のプリコーディングされた部分についての例示的なサイクリックシフト遅延を示す。第１列に示された時空間ストリームの各数について、図１０Ａは、ストリーム（１〜４）のうちの１つについてのサイクリックシフトを示している。サイクリックシフトはμｓで示されている。４つのストリームが示されているが、任意の数のストリームが使用され得る。図１０Ａに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。各行内で、各アクティブストリームの値は、一般性の損失なしに並べ替えられ得る。いくつかの実施形態では、各時空間ストリームは異なる送信アンテナに関連し得る。
【００８７】
図１０Ａに示すように、１つのアクティブ時空間ストリームがある実施形態では、ストリームは遅延を有しない。２つのアクティブ時空間ストリームがある実施形態では、ストリーム１は遅延を有せず、ストリーム２は４μｓだけ遅延される。様々な実施形態では、２つのストリームがあるときには、ストリーム遅延は、周期内で実質的に一様に分配され得る。周期は、たとえば、シンボル期間および／またはショートトレーニングフィールド（ＳＴＦ）期間であり得る。図示した実施形態では、周期は８μｓである。
【００８８】
さらに図１０Ａを参照すると、３つのアクティブ時空間ストリームがある実施形態では、ストリーム１は遅延を有せず、ストリーム２は４μｓだけ遅延され、ストリーム３は２μｓだけ遅延される。様々な実施形態では、３つのストリームがあるときには、ストリーム遅延は、周期内の４つの実質的に一様に分配された遅延値の中から３つを取ることができる。４つのアクティブ時空間ストリームがある実施形態では、ストリーム１は遅延を有せず、ストリーム２は４μｓだけ遅延され、ストリーム３は２μｓだけ遅延され、ストリーム４は６μｓだけ遅延される。様々な実施形態では、４つのストリームがあるときには、ストリーム遅延は、周期内で実質的に一様に分配され得る。一実施形態では、図１０Ａに示す遅延は、たとえば、ＳＧＩを使用した実装形態では、１／２にされ得る。
【００８９】
図１０Ｂに、別の実施形態による、１ＭＨｚシングルセグメント実装形態のプリコーディングされた部分についての例示的なサイクリックシフト遅延を示す。第１列に示された時空間ストリームの各数について、図１０Ｂは、ストリーム（１〜４）のうちの１つについてのサイクリックシフトを示している。サイクリックシフトはμｓで示されている。４つのストリームが示されているが、任意の数のストリームが使用され得る。図１０Ｂに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００９０】
図１０Ｂに示すように、１つのアクティブ時空間ストリームがある実施形態では、ストリームは遅延を有しない。２つのアクティブ時空間ストリームがある実施形態では、ストリーム１は遅延を有せず、ストリーム２は４μｓだけ遅延される。３つのアクティブ時空間ストリームがある実施形態では、ストリーム１は遅延を有せず、ストリーム２は４μｓだけ遅延され、ストリーム３は６μｓだけ遅延される。４つのアクティブ時空間ストリームがある実施形態では、ストリーム１は遅延を有せず、ストリーム２は４μｓだけ遅延され、ストリーム３は６μｓだけ遅延され、ストリーム４は２μｓだけ遅延される。一実施形態では、図１０Ｂに示す遅延は、たとえば、ＳＧＩを使用した実装形態では、１／２にされ得る。
【００９１】
図１０Ｃに、別の実施形態による、１ＭＨｚシングルセグメント実装形態のプリコーディングされた部分についての例示的なサイクリックシフト遅延を示す。第１列に示された時空間ストリームの各数について、図１０Ｃは、ストリーム（１〜４）のうちの１つについてのサイクリックシフトを示している。サイクリックシフトはμｓで示されている。４つのストリームが示されているが、任意の数のストリームが使用され得る。図１０Ｃに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００９２】
図１０Ｃに示すように、１つのアクティブ時空間ストリームがある実施形態では、ストリームは遅延を有しない。２つのアクティブ時空間ストリームがある実施形態では、ストリーム１は遅延を有せず、ストリーム２は２μｓだけ遅延される。３つのアクティブ時空間ストリームがある実施形態では、ストリーム１は遅延を有せず、ストリーム２は２μｓだけ遅延され、ストリーム３は４μｓだけ遅延される。４つのアクティブ時空間ストリームがある実施形態では、ストリーム１は遅延を有せず、ストリーム２は２μｓだけ遅延され、ストリーム３は４μｓだけ遅延され、ストリーム４は６μｓだけ遅延される。一実施形態では、図１０Ｃに示す遅延は、たとえば、ＳＧＩを使用した実装形態では、１／２にされ得る。
【００９３】
図１０Ｄに、別の実施形態による、１ＭＨｚシングルセグメント実装形態のプリコーディングされた部分についての例示的なサイクリックシフト遅延を示す。第１列に示された時空間ストリームの各数について、図１０Ｄは、ストリーム（１〜４）のうちの１つについてのサイクリックシフトを示している。サイクリックシフトはμｓで示されている。４つのストリームが示されているが、任意の数のストリームが使用され得る。図１０Ｄに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００９４】
図１０Ｄに示すように、１つのアクティブ時空間ストリームがある実施形態では、ストリームは遅延を有しない。２つのアクティブ時空間ストリームがある実施形態では、ストリーム１は遅延を有せず、ストリーム２は２μｓだけ遅延される。３つのアクティブ時空間ストリームがある実施形態では、ストリーム１は遅延を有せず、ストリーム２は２μｓだけ遅延され、ストリーム３は６μｓだけ遅延される。４つのアクティブ時空間ストリームがある実施形態では、ストリーム１は遅延を有せず、ストリーム２は２μｓだけ遅延され、ストリーム３は６μｓだけ遅延され、ストリーム４は４μｓだけ遅延される。一実施形態では、図１０Ｄに示す遅延は、たとえば、ＳＧＩを使用した実装形態では、１／２にされ得る。
【００９５】
図１０Ｅに、別の実施形態による、１ＭＨｚシングルセグメント実装形態のプリコーディングされた部分についての例示的なサイクリックシフト遅延を示す。第１列に示された時空間ストリームの各数について、図１０Ｅは、ストリーム（１〜４）のうちの１つについてのサイクリックシフトを示している。サイクリックシフトはμｓで示されている。４つのストリームが示されているが、任意の数のストリームが使用され得る。図１０Ｅに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００９６】
図１０Ｅに示すように、１つのアクティブ時空間ストリームがある実施形態では、ストリームは遅延を有しない。２つのアクティブ時空間ストリームがある実施形態では、ストリーム１は遅延を有せず、ストリーム２は６μｓだけ遅延される。３つのアクティブ時空間ストリームがある実施形態では、ストリーム１は遅延を有せず、ストリーム２は６μｓだけ遅延され、ストリーム３は２μｓだけ遅延される。４つのアクティブ時空間ストリームがある実施形態では、ストリーム１は遅延を有せず、ストリーム２は６μｓだけ遅延され、ストリーム３は２μｓだけ遅延され、ストリーム４は４μｓだけ遅延される。一実施形態では、図１０Ｅに示す遅延は、たとえば、ＳＧＩを使用した実装形態では、１／２にされ得る。
【００９７】
図１０Ｆに、別の実施形態による、１ＭＨｚシングルセグメント実装形態のプリコーディングされた部分についての例示的なサイクリックシフト遅延を示す。第１列に示された時空間ストリームの各数について、図１０Ｆは、ストリーム（１〜４）のうちの１つについてのサイクリックシフトを示している。サイクリックシフトはμｓで示されている。４つのストリームが示されているが、任意の数のストリームが使用され得る。図１０Ｆに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【００９８】
図１０Ｆに示すように、１つのアクティブ時空間ストリームがある実施形態では、ストリームは遅延を有しない。２つのアクティブ時空間ストリームがある実施形態では、ストリーム１は遅延を有せず、ストリーム２は６μｓだけ遅延される。３つのアクティブ時空間ストリームがある実施形態では、ストリーム１は遅延を有せず、ストリーム２は６μｓだけ遅延され、ストリーム３は４μｓだけ遅延される。４つのアクティブ時空間ストリームがある実施形態では、ストリーム１は遅延を有せず、ストリーム２は６μｓだけ遅延され、ストリーム３は４μｓだけ遅延され、ストリーム４は２μｓだけ遅延される。一実施形態では、図１０Ｆに示す遅延は、たとえば、ＳＧＩを使用した実装形態では、１／２にされ得る。
【００９９】
図１０Ａ〜図１０Ｆに示すサイクリックシフト遅延は、「ネスティングされた」と言われ得る。たとえば、４ストリームモードのサイクリックシフト遅延値は３ストリームモードのサイクリックシフト遅延のすべてを含み、３ストリームモードのサイクリックシフト遅延値は２ストリームモードのサイクリックシフト遅延のすべてを含み、以下同様である。ネスティングされたサイクリックシフト遅延は、ハードウェアでの実装形態を簡単にし、および／またはメモリ要件を低減し得る。ただし、様々な実施形態では、サイクリックシフト遅延はネスティングされない。図１０Ｇ〜図１０Ｊでは、様々な実施形態による、ネスティングされないシフト遅延を示す。図１０Ｇ〜図１０Ｊに示すサイクリックシフト遅延は、（図１２に関して以下で説明する）メトリック基準に関して最適化された、異なるＣＳＤ候補でのシミュレーションの結果である。
【０１００】
図１０Ｇに、別の実施形態による、１ＭＨｚシングルセグメント実装形態のプリコーディングされた部分についての例示的なサイクリックシフト遅延を示す。第１列に示された時空間ストリームの各数について、図１０Ｇは、ストリーム（１〜４）のうちの１つについてのサイクリックシフトを示している。サイクリックシフトはμｓで示されている。４つのストリームが示されているが、任意の数のストリームが使用され得る。図１０Ｇに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１０１】
図１０Ｇに示すように、１つのアクティブ時空間ストリームがある実施形態では、ストリームは遅延を有しない。２つのアクティブ時空間ストリームがある実施形態では、ストリーム１は遅延を有せず、ストリーム２は３μｓだけ遅延される。３つのアクティブ時空間ストリームがある実施形態では、ストリーム１は遅延を有せず、ストリーム２は２μｓだけ遅延され、ストリーム３は６μｓだけ遅延される。４つのアクティブ時空間ストリームがある実施形態では、ストリーム１は遅延を有せず、ストリーム２は２μｓだけ遅延され、ストリーム３は３μｓだけ遅延され、ストリーム４は７μｓだけ遅延される。
【０１０２】
図１０Ｈに、別の実施形態による、１ＭＨｚシングルセグメント実装形態のプリコーディングされた部分についての例示的なサイクリックシフト遅延を示す。第１列に示された時空間ストリームの各数について、図１０Ｈは、ストリーム（１〜４）のうちの１つについてのサイクリックシフトを示している。サイクリックシフトはμｓで示されている。４つのストリームが示されているが、任意の数のストリームが使用され得る。図１０Ｈに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１０３】
図１０Ｈに示すように、１つのアクティブ時空間ストリームがある実施形態では、ストリームは遅延を有しない。２つのアクティブ時空間ストリームがある実施形態では、ストリーム１は遅延を有せず、ストリーム２は３μｓだけ遅延される。３つのアクティブ時空間ストリームがある実施形態では、ストリーム１は遅延を有せず、ストリーム２は２μｓだけ遅延され、ストリーム３は６μｓだけ遅延される。４つのアクティブ時空間ストリームがある実施形態では、ストリーム１は遅延を有せず、ストリーム２は４μｓだけ遅延され、ストリーム３は５μｓだけ遅延され、ストリーム４は７μｓだけ遅延される。
【０１０４】
図１０Ｉに、別の実施形態による、１ＭＨｚシングルセグメント実装形態のプリコーディングされた部分についての例示的なサイクリックシフト遅延を示す。第１列に示された時空間ストリームの各数について、図１０Ｉは、ストリーム（１〜４）のうちの１つについてのサイクリックシフトを示している。サイクリックシフトはμｓで示されている。４つのストリームが示されているが、任意の数のストリームが使用され得る。図１０Ｉに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１０５】
図１０Ｉに示すように、１つのアクティブ時空間ストリームがある実施形態では、ストリームは遅延を有しない。２つのアクティブ時空間ストリームがある実施形態では、ストリーム１は遅延を有せず、ストリーム２は３μｓだけ遅延される。３つのアクティブ時空間ストリームがある実施形態では、ストリーム１は遅延を有せず、ストリーム２は２μｓだけ遅延され、ストリーム３は５μｓだけ遅延される。４つのアクティブ時空間ストリームがある実施形態では、ストリーム１は遅延を有せず、ストリーム２は２μｓだけ遅延され、ストリーム３は３μｓだけ遅延され、ストリーム４は７μｓだけ遅延される。
【０１０６】
図１０Ｊに、別の実施形態による、１ＭＨｚシングルセグメント実装形態のプリコーディングされた部分についての例示的なサイクリックシフト遅延を示す。第１列に示された時空間ストリームの各数について、図１０Ｊは、ストリーム（１〜４）のうちの１つについてのサイクリックシフトを示している。サイクリックシフトはμｓで示されている。４つのストリームが示されているが、任意の数のストリームが使用され得る。図１０Ｊに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１０７】
図１０Ｊに示すように、１つのアクティブ時空間ストリームがある実施形態では、ストリームは遅延を有しない。２つのアクティブ時空間ストリームがある実施形態では、ストリーム１は遅延を有せず、ストリーム２は３μｓだけ遅延される。３つのアクティブ時空間ストリームがある実施形態では、ストリーム１は遅延を有せず、ストリーム２は２μｓだけ遅延され、ストリーム３は５μｓだけ遅延される。４つのアクティブ時空間ストリームがある実施形態では、ストリーム１は遅延を有せず、ストリーム２は４μｓだけ遅延され、ストリーム３は５μｓだけ遅延され、ストリーム４は７μｓだけ遅延される。
【０１０８】
上記で説明したメトリック基準によれば、いくつかのネスティングされたサイクリックシフト遅延は、上記の図１０Ａ〜図１０Ｆに示したネスティングされないサイクリックシフト遅延の性能に近づくことができる。ネスティングされたサイクリックシフト遅延の１つのそのような高性能セットを、以下で説明する図１０Ｋに示す。
【０１０９】
図１０Ｋに、別の実施形態による、１ＭＨｚシングルセグメント実装形態のプリコーディングされた部分についての例示的なサイクリックシフト遅延を示す。第１列に示された時空間ストリームの各数について、図１０Ｋは、ストリーム（１〜４）のうちの１つについてのサイクリックシフトを示している。サイクリックシフトはμｓで示されている。４つのストリームが示されているが、任意の数のストリームが使用され得る。図１０Ｋに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１１０】
図１０Ｋに示すように、１つのアクティブ時空間ストリームがある実施形態では、ストリームは遅延を有しない。２つのアクティブ時空間ストリームがある実施形態では、ストリーム１は遅延を有せず、ストリーム２は３μｓだけ遅延される。３つのアクティブ時空間ストリームがある実施形態では、ストリーム１は遅延を有せず、ストリーム２は２μｓだけ遅延され、ストリーム３は７μｓだけ遅延される。４つのアクティブ時空間ストリームがある実施形態では、ストリーム１は遅延を有せず、ストリーム２は３μｓだけ遅延され、ストリーム３は７μｓだけ遅延され、ストリーム４は２μｓだけ遅延される。
【０１１１】
図１０Ｌに、別の実施形態による、１ＭＨｚシングルセグメント実装形態のプリコーディングされた部分についての例示的なサイクリックシフト遅延を示す。第１列に示された時空間ストリームの各数について、図１０Ｌは、ストリーム（１〜４）のうちの１つについてのサイクリックシフトを示している。サイクリックシフトはμｓで示されている。４つのストリームが示されているが、任意の数のストリームが使用され得る。図１０Ｌに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１１２】
図１０Ｌに示すように、１つのアクティブ時空間ストリームがある実施形態では、ストリームは遅延を有しない。２つのアクティブ時空間ストリームがある実施形態では、ストリーム１は遅延を有せず、ストリーム２は５μｓだけ遅延される。３つのアクティブ時空間ストリームがある実施形態では、ストリーム１は遅延を有せず、ストリーム２は５μｓだけ遅延され、ストリーム３は１μｓだけ遅延される。４つのアクティブ時空間ストリームがある実施形態では、ストリーム１は遅延を有せず、ストリーム２は５μｓだけ遅延され、ストリーム３は１μｓだけ遅延され、ストリーム４は４μｓだけ遅延される。
【０１１３】
図１０Ｍに、別の実施形態による、１ＭＨｚシングルセグメント実装形態のプリコーディングされた部分についての例示的なサイクリックシフト遅延を示す。第１列に示された時空間ストリームの各数について、図１０Ｍは、ストリーム（１〜４）のうちの１つについてのサイクリックシフトを示している。サイクリックシフトはμｓで示されている。４つのストリームが示されているが、任意の数のストリームが使用され得る。図１０Ｍに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１１４】
図１０Ｍに示すように、１つのアクティブ時空間ストリームがある実施形態では、ストリームは遅延を有しない。２つのアクティブ時空間ストリームがある実施形態では、ストリーム１は遅延を有せず、ストリーム２は７μｓだけ遅延される。３つのアクティブ時空間ストリームがある実施形態では、ストリーム１は遅延を有せず、ストリーム２は７μｓだけ遅延され、ストリーム３は３μｓだけ遅延される。４つのアクティブ時空間ストリームがある実施形態では、ストリーム１は遅延を有せず、ストリーム２は７μｓだけ遅延され、ストリーム３は３μｓだけ遅延され、ストリーム４は４μｓだけ遅延される。
【０１１５】
図１０Ｎに、別の実施形態による、１ＭＨｚシングルセグメント実装形態のプリコーディングされた部分についての例示的なサイクリックシフト遅延を示す。第１列に示された時空間ストリームの各数について、図１０Ｎは、ストリーム（１〜４）のうちの１つについてのサイクリックシフトを示している。サイクリックシフトはμｓで示されている。４つのストリームが示されているが、任意の数のストリームが使用され得る。図１０Ｎに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１１６】
図１０Ｎに示すように、１つのアクティブ時空間ストリームがある実施形態では、ストリームは遅延を有しない。２つのアクティブ時空間ストリームがある実施形態では、ストリーム１は遅延を有せず、ストリーム２は５μｓだけ遅延される。３つのアクティブ時空間ストリームがある実施形態では、ストリーム１は遅延を有せず、ストリーム２は５μｓだけ遅延され、ストリーム３は１μｓだけ遅延される。４つのアクティブ時空間ストリームがある実施形態では、ストリーム１は遅延を有せず、ストリーム２は４μｓだけ遅延され、ストリーム３は６μｓだけ遅延され、ストリーム４は７μｓだけ遅延される。
【０１１７】
一実施形態では、図１０Ａ〜図１０Ｏに示すサイクリックシフト遅延は３２点ＦＦＴモードで実装され得、図６Ａ〜図６ｄに示したサイクリックシフト遅延は６４点ＦＦＴモードで実装され得る。様々な実施形態では、図１〜図４のデバイス（たとえば、ＡＰ１１０）は、３２点ＦＦＴモードと、６４点ＦＦＴモードと、１ＭＨｚモードと、２ＭＨｚモードとのうちの１つまたは複数で動作するように構成され得る。
【０１１８】
図１０Ｏに、別の実施形態による、１シングルセグメント実装形態のプリコーディングされた部分についての例示的なサイクリックシフト遅延を示す。一実施形態では、図１０Ｏに示すＣＳＤはシングルセグメントフレームに適用され得る。第１列に示された時空間ストリームの各数について、図１０Ｏは、ストリーム（１〜４）のうちの１つについてのサイクリックシフトを示している。サイクリックシフトはμｓで示されている。４つのストリームが示されているが、任意の数のストリームが使用され得る。図１０Ｏに示すサイクリックシフト遅延は、たとえば、送信機２２２、ＴＸ特殊プロセッサ２２０および／またはサイクリックプレフィックス生成器４１６など、たとえば図１〜図４に関して本明細書で説明したデバイスのいずれかによって実装され得る。いくつかの実施形態では、各時空間ストリームは異なる送信アンテナに関連し得る。
【０１１９】
図１０Ｏに示すように、１つのアクティブ時空間ストリームがある実施形態では、ストリームは遅延を有しない。２つのアクティブ時空間ストリームがある実施形態では、ストリーム１は遅延を有せず、ストリーム２は４μｓだけ遅延される。３つのアクティブ時空間ストリームがある実施形態では、ストリーム１は遅延を有せず、ストリーム２は４μｓだけ遅延され、ストリーム３は１μｓだけ遅延される。４つのアクティブ時空間ストリームがある実施形態では、ストリーム１は遅延を有せず、ストリーム２は４μｓだけ遅延され、ストリーム３は１μｓだけ遅延され、ストリーム４は５μｓだけ遅延される。
【０１２０】
図１１に、１つまたは複数の時空間ストリーム上で通信するための例示的な方法のフローチャート１１００を示す。本方法は、図８Ａ〜図８Ｅ、図９Ａ〜図９Ｂ、および図１０Ａ〜図１０Ｏに関して上記で説明したサイクリックシフト遅延のうちの１つまたは複数を実装することができる。本方法についてＡＰ１１０（図１）の要素に関して以下で説明するが、本明細書で説明するステップのうちの１つまたは複数を実装するために他の構成要素が使用され得ることを当業者は諒解されよう。ブロックについてある特定の順序で行われるものとして説明することがあるが、ブロックは並べ替えられることができ、ブロックは省略されることができ、および／または追加のブロックが追加されることができる。
【０１２１】
最初に、ブロック１１１０において、ＡＰ１１０は第１のストリームを送信する。ＡＰ１１０は、たとえば、ＵＴ１２０のうちの１つに、第１のストリームを送信することができる。一実施形態では、ＡＰ１１０は、サイクリックシフト遅延なしで第１のストリームを送信することができる。ＡＰ１１０は、２ＭＨｚ以下の帯域幅をもつ第１のストリームを送信することができる。一実施形態では、帯域幅は２ＭＨｚである。別の実施形態では、帯域幅は１ＭＨｚである。
【０１２２】
次に、ブロック１１２０において、２つ以上のストリームがある場合、ＡＰ１１０は第２のストリームを送信する。ＡＰ１１０は、周期の１／２に等しい第１のストリームに対するサイクリックシフト遅延を用いて第２のストリームを送信することができる。上記で説明したように、周期は、ＳＴＦ期間、ＳＧＩ持続時間、シンボル期間などであり得る。様々な実施形態では、ＡＰ１１０は、図８Ａ〜図８Ｅ、図９Ａ〜図９Ｂ、および図１０Ａ〜図１０Ｏのうちの１つまたは複数に示したテーブルに従うサイクリックシフト遅延を用いて第２のストリームを送信することができる。
【０１２３】
次に、ブロック１１３０において、３つ以上のストリームがある場合、ＡＰ１１０は第３のストリームを送信する。ＡＰ１１０は、周期の１／４に等しいサイクリックシフト遅延を用いて第３のストリームを送信することができ、遅延は、第１のストリームまたは第２のストリームのいずれかに対するものであり得る。様々な実施形態では、ＡＰ１１０は、図８Ａ〜図８Ｅ、図９Ａ〜図９Ｂ、および図１０Ａ〜図１０Ｏのうちの１つまたは複数に示したテーブルに従うサイクリックシフト遅延を用いて第３のストリームを送信することができる。
【０１２４】
次に、ブロック１１４０において、４つ以上のストリームがある場合、ＡＰ１１０は第４のストリームを送信する。ＡＰ１１０は、周期の１／４に等しいサイクリックシフト遅延を用いて第４のストリームを送信することができ、遅延は、第１のストリームまたは第２のストリームのいずれかに対するものであり得、第３のストリームの遅延はそのどちらに対するものでもない。言い換えれば、第３のストリームのサイクリックシフト遅延が第１のストリームに対するものである場合、第４のストリームのサイクリックシフト遅延は第２のストリームに対するものであり、その逆も同様である。様々な実施形態では、ＡＰ１１０は、図８Ａ〜図８Ｅ、図９Ａ〜図９Ｂ、および図１０Ａ〜図１０Ｏのうちの１つまたは複数に示したテーブルに従ってサイクリックシフト遅延を用いて第４のストリームを送信することができる。
【０１２５】
図１２は、図１の通信ネットワーク１００内で採用され得る例示的なワイヤレスデバイス１２００の機能ブロック図である。デバイス１２００は、それぞれ、第１の時空間ストリーム、第２の時空間ストリーム、第３の時空間ストリーム、および第４の時空間ストリームを送信するための手段１２１０、１２２０、１２３０、および１２４０を備える。一実施形態では、第１のストリームを送信するための手段１２１０は、図１１に示したブロック１１１０に関して上記で説明した機能のうちの１つまたは複数を実行するように構成され得る。第１のストリームを送信するための手段１２１０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１２６】
一実施形態では、第２のストリームを送信するための手段１２２０は、図１１に示したブロック１１２０に関して上記で説明した機能のうちの１つまたは複数を実行するように構成され得る。第２のストリームを送信するための手段１２２０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１２７】
一実施形態では、第２のストリームを送信するための手段１２３０は、図１１に示したブロック１１３０に関して上記で説明した機能のうちの１つまたは複数を実行するように構成され得る。第２のストリームを送信するための手段１２３０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１２８】
一実施形態では、第２のストリームを送信するための手段１２４０は、図１１に示したブロック１１４０に関して上記で説明した機能のうちの１つまたは複数を実行するように構成され得る。第２のストリームを送信するための手段１２４０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１２９】
本明細書で使用する「決定」という用語は、多種多様なアクションを包含する。たとえば、「決定」は、計算、算出、処理、導出、調査、探索（たとえば、テーブル、データベースまたは別のデータ構造での探索）、確認などを含み得る。また、「決定」は、受信（たとえば、情報を受信すること）、アクセス（たとえば、メモリ中のデータにアクセスすること）などを含み得る。また、「決定」は、解決、選択、選定、確立などを含み得る。
【０１３０】
図１３に、１つまたは複数の時空間ストリーム上で通信するための別の例示的な方法のフローチャート１３００を示す。本方法は、図８Ａ〜図８Ｅ、図９Ａ〜図９Ｂ、および図１０Ａ〜図１０Ｏに関して上記で説明したサイクリックシフト遅延のうちの１つまたは複数を実装することができる。本方法についてＡＰ１１０（図１）の要素に関して以下で説明するが、本明細書で説明するステップのうちの１つまたは複数を実装するために他の構成要素が使用され得ることを当業者は諒解されよう。ブロックについてある特定の順序で行われるものとして説明することがあるが、ブロックは並べ替えられることができ、ブロックは省略されることができ、および／または追加のブロックが追加されることができる。
【０１３１】
最初に、ブロック１３１０において、ＡＰ１１０は第１のストリームを送信する。ＡＰ１１０は、たとえば、ＵＴ１２０のうちの１つに第１のストリームを送信することができる。一実施形態では、ＡＰ１１０は、サイクリックシフト遅延なしで第１のストリームを送信することができる。別の実施形態では、ＡＰ１１０は、基準サイクリックシフト遅延をもつ第１のストリームを送信することができ、第１のストリームに対してサイクリックシフト遅延をもつ１つまたは複数の追加のストリームが送信され得る。ＡＰ１１０は、２ＭＨｚ以下の帯域幅をもつ第１のストリームを送信することができる。一実施形態では、帯域幅は２ＭＨｚである。別の実施形態では、帯域幅は１ＭＨｚである。
【０１３２】
次に、ブロック１３２０において、２つ以上のストリームがある場合、ＡＰ１１０は第２のストリームを送信する。ＡＰ１１０は、第２のストリームサイクリックシフト遅延を用いて第２のストリームを送信することができる。一実施形態では、第２のストリームサイクリックシフト遅延は第１のストリームに対して定義され得る。一実施形態では、第２のストリームサイクリックシフト遅延は、１〜７個の単位（units）のセットから選択される値であり得る。様々な実施形態では、単位は、マイクロ秒、サンプル、または周期の部分（divisions）であり得る。たとえば、一実施形態では、単位は周期の１／８であり得る。上記で説明したように、周期は、ＳＴＦ期間、ＳＧＩ持続時間、シンボル期間などであり得る。様々な実施形態では、ＡＰ１１０は、図８Ａ〜図８Ｅ、図９Ａ〜図９Ｂ、および図１０Ａ〜図１０Ｏのうちの１つまたは複数に示したテーブルに従うサイクリックシフト遅延を用いて第２のストリームを送信することができる。一実施形態では、第２のストリームサイクリックシフト遅延は、１つまたは複数の追加のストリーム遅延の中でユニークであり得る。
【０１３３】
次に、ブロック１３３０において、３つ以上のストリームがある場合、ＡＰ１１０は第３のストリームを送信する。ＡＰ１１０は、第３のストリームサイクリックシフト遅延を用いて第３のストリームを送信することができる。一実施形態では、第３のストリームサイクリックシフト遅延は第１のストリームに対して定義され得る。一実施形態では、第３のストリームサイクリックシフト遅延は、１〜７個の単位のセットから選択される値であり得る。様々な実施形態では、単位は、マイクロ秒、サンプル、または周期の部分であり得る。たとえば、一実施形態では、単位は周期の１／８であり得る。上記で説明したように、周期は、ＳＴＦ期間、ＳＧＩ持続時間、シンボル期間などであり得る。様々な実施形態では、ＡＰ１１０は、図８Ａ〜図８Ｅ、図９Ａ〜図９Ｂ、および図１０Ａ〜図１０Ｏのうちの１つまたは複数に示したテーブルに従うサイクリックシフト遅延を用いて第３のストリームを送信することができる。一実施形態では、第３のストリームサイクリックシフト遅延は、１つまたは複数の追加のストリーム遅延の中でユニークであり得る。
【０１３４】
次に、ブロック１３４０において、４つ以上のストリームがある場合、ＡＰ１１０は第４のストリームを送信する。ＡＰ１１０は、第４のストリームサイクリックシフト遅延を用いて第４のストリームを送信することができる。一実施形態では、第４のストリームサイクリックシフト遅延は第１のストリームに対して定義され得る。一実施形態では、第４のストリームサイクリックシフト遅延は、１〜７個の単位のセットから選択される値であり得る。様々な実施形態では、単位は、マイクロ秒、サンプル、または周期の部分であり得る。たとえば、一実施形態では、単位は周期の１／８であり得る。上記で説明したように、周期は、ＳＴＦ期間、ＳＧＩ持続時間、シンボル期間などであり得る。様々な実施形態では、ＡＰ１１０は、図８Ａ〜図８Ｅ、図９Ａ〜図９Ｂ、および図１０Ａ〜図１０Ｏのうちの１つまたは複数に示したテーブルに従ってサイクリックシフト遅延を用いて第４のストリームを送信することができる。一実施形態では、第４のストリームサイクリックシフト遅延は、１つまたは複数の追加のストリーム遅延の中でユニークであり得る。
【０１３５】
図１１に関して上記で説明したように、様々なサイクリックシフト遅延が１〜７個の単位のセットから選択され得、各サイクリックシフト遅延は、１つまたは複数のストリーム遅延の中でユニークであり得る。たとえば、第２のストリーム遅延、第３のストリーム遅延、および第４のストリーム遅延が１〜７個の単位のセットから選択され得るが、２つのストリーム遅延は同じ値を使用し得ない。
【０１３６】
図１４は、図１の通信ネットワーク１００内で採用され得る別の例示的なワイヤレスデバイス１４００の機能ブロック図である。デバイス１４００は、それぞれ、第１の時空間ストリーム、第２の時空間ストリーム、第３の時空間ストリーム、および第４の時空間ストリームを送信するための手段１４１０、１４２０、１４３０、および１４４０を備える。一実施形態では、第１のストリームを送信するための手段１４１０は、図１３に示したブロック１３１０に関して上記で説明した機能のうちの１つまたは複数を実行するように構成され得る。第１のストリームを送信するための手段１４１０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１３７】
一実施形態では、第２のストリームを送信するための手段１４２０は、図１３に示したブロック１３２０に関して上記で説明した機能のうちの１つまたは複数を実行するように構成され得る。第２のストリームを送信するための手段１４２０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１３８】
一実施形態では、第３のストリームを送信するための手段１４３０は、図１３に示したブロック１３３０に関して上記で説明した機能のうちの１つまたは複数を実行するように構成され得る。第３のストリームを送信するための手段１４３０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１３９】
一実施形態では、第４のストリームを送信するための手段１４４０は、図１３に示したブロック１３４０に関して上記で説明した機能のうちの１つまたは複数を実行するように構成され得る。第４のストリームを送信するための手段１４４０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１４０】
図１５に、１つまたは複数の時空間ストリーム上で通信するための別の例示的な方法のフローチャート１５００を示す。本方法は、図８Ａ〜図８Ｅ、図９Ａ〜図９Ｂ、および図１０Ａ〜図１０Ｏに関して上記で説明したサイクリックシフト遅延のうちの１つまたは複数を実装することができる。本方法についてＡＰ１６０（図１）の要素に関して以下で説明するが、本明細書で説明するステップのうちの１つまたは複数を実装するために他の構成要素が使用され得ることを当業者は諒解されよう。たとえば、ＵＴ１２０が、本明細書で説明する方法を実装することができる。ブロックについてある特定の順序で行われるものとして説明することがあるが、ブロックは並べ替えられることができ、ブロックは省略されることができ、および／または追加のブロックが追加されることができる。
【０１４１】
最初に、ブロック１５１０において、ＡＰ１６０は、１つまたは複数のストリームのためのＣＳＤテーブルを選択する。ＣＳＤテーブルは、ストリーム帯域幅、フレームフォーマット、および送信アンテナのうちの１つまたは複数に基づいて選択され得る。一実施形態では、ＣＳＤテーブルはまた、たとえば、オムニ部分およびプリコーディングされた部分など、送信されているデータユニットの部分に基づいて選択され得る。たとえば、ＡＰ１６０は、１ＭＨｚストリームおよび２ＭＨｚストリームのために、シングルセグメントモードおよびマルチセグメントモードのために、各アンテナのためになど、異なるＣＳＤテーブルを選択し得る。その上、上記の基準の任意の各組合せは、別個の対応するＣＳＤテーブルを有することができる。たとえば、ＡＰ１６０は、２ＭＨｚシングルユーザモードのためにあるＣＳＤテーブルを選択し、１ＭＨｚシングルセグメントモードのために別のＣＳＤテーブルを選択し得る。ＡＰ１６０は、各構成のために複数のＣＳＤテーブルを記憶することができる。
【０１４２】
次に、ブロック１５２０において、ＡＰ１６０は、選択されたＣＳＤテーブルに基づいてＵＴ１２０のストリームの各々にＣＳＤを適用する。ＣＳＤは、たとえば、図４および図５に関して上記で説明したように適用され得る。その上、ＣＳＤは、ＵＴ１２０のストリームの各々に別々に適用され得る。たとえば、ＡＰ１６０からのマルチユーザ送信では、２つのストリームが２つの異なるＵＴ１２０に割り当てられ得る。一実施形態では、ＣＳＤは各ＵＴ１２０に別々に適用され得、使用されるＣＳＤ値は、各ＵＴ１２０について２時空間ストリームのケースに対応することができる。次いで、ブロック１５３０において、ＡＰ１６０は、適用されたＣＳＤを用いてストリームを送信する。ＡＰ１６０は、たとえば、ＵＴ１２０のうちの１つまたは複数にストリームを送信することができる。
【０１４３】
図１６は、図１の通信ネットワーク１５０内で採用され得る別の例示的なワイヤレスデバイス１６００の機能ブロック図である。デバイス１６００は、ストリーム帯域幅、フレームフォーマット、および送信アンテナのうちの１つまたは複数に基づいて、１つまたは複数のストリームのためのサイクリックシフト遅延テーブルを選択するための手段１６１０を備える。デバイス１６００は、選択されたサイクリックシフト遅延テーブルに基づいて各ストリームにサイクリックシフト遅延を適用するための手段１６２０と、適用されたサイクリックシフト遅延を用いてストリームを送信するための手段１６３０とをさらに備える。
【０１４４】
一実施形態では、サイクリックシフト遅延テーブルを選択するための手段１６１０は、図１５に示したブロック１５１０に関して上記で説明した機能のうちの１つまたは複数を実行するように構成され得る。サイクリックシフト遅延テーブルを選択するための手段１６１０は、ＴＸ特殊プロセッサ２２０および２９０と、ＤＳＰ３２０と、トランシーバ３１４と、プロセッサ３０４とのうちの１つまたは複数に対応し得る。
【０１４５】
一実施形態では、サイクリックシフト遅延を適用するための手段１６２０は、図１５に示したブロック１５２０に関して上記で説明した機能のうちの１つまたは複数を実行するように構成され得る。サイクリックシフト遅延を適用するための手段１６２０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１４６】
一実施形態では、適用されたサイクリックシフト遅延を用いてストリームを送信するための手段１６３０は、図１５に示したブロック１５３０に関して上記で説明した機能のうちの１つまたは複数を実行するように構成され得る。適用されたサイクリックシフト遅延を用いてストリームを送信するための手段１６３０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１４７】
図１７に、１つまたは複数の時空間ストリーム上で通信するための別の例示的な方法のフローチャート１７００を示す。本方法は、上記で、特に図１０Ｏに関して説明したサイクリックシフト遅延のうちの１つまたは複数を実装することができる。本方法についてＡＰ１１０（図１）の要素に関して以下で説明するが、本明細書で説明するステップのうちの１つまたは複数を実装するために他の構成要素が使用され得ることを当業者は諒解されよう。ブロックについてある特定の順序で行われるものとして説明することがあるが、ブロックは並べ替えられることができ、ブロックは省略されることができ、および／または追加のブロックが追加されることができる。
【０１４８】
最初に、ブロック１７１０において、ＡＰ１１０は、第１のストリームのプリコーディングされた部分を送信する。ＡＰ１１０は、たとえば、ＵＴ１２０のうちの１つに第１のストリームを送信することができる。一実施形態では、ＡＰ１１０は、サイクリックシフト遅延なしで第１のストリームを送信することができる。別の実施形態では、ＡＰ１１０は、基準サイクリックシフト遅延を用いて第１のストリームを送信することができ、第１のストリームに対するサイクリックシフト遅延を用いて１つまたは複数の追加のストリームが送信され得る。ＡＰ１１０は、１ＭＨｚ以下の帯域幅をもつ第１のストリームを送信することができる。一実施形態では、帯域幅は１ＭＨｚである。
【０１４９】
次に、ブロック１７２０において、２つ以上のストリームがある場合、ＡＰ１１０は第２のストリームのプリコーディングされた部分を送信する。ＡＰ１１０は、第２のストリームサイクリックシフト遅延を用いて第２のストリームを送信することができる。一実施形態では、第２のストリームサイクリックシフト遅延は第１のストリームに対して定義され得る。一実施形態では、第２のストリームサイクリックシフト遅延は４μｓであり得る。
【０１５０】
次に、ブロック１７３０において、３つ以上のストリームがある場合、ＡＰ１１０は第３のストリームのプリコーディングされた部分を送信する。ＡＰ１１０は、第３のストリームサイクリックシフト遅延を用いて第３のストリームを送信することができる。一実施形態では、第３のストリームサイクリックシフト遅延は第１のストリームに対して定義され得る。一実施形態では、第３のストリームサイクリックシフト遅延は１μｓであり得る。
【０１５１】
次に、ブロック１７４０において、４つ以上のストリームがある場合、ＡＰ１１０は第４のストリームのプリコーディングされた部分を送信する。ＡＰ１１０は、第４のストリームサイクリックシフト遅延を用いて第４のストリームを送信することができる。一実施形態では、第４のストリームサイクリックシフト遅延は第１のストリームに対して定義され得る。一実施形態では、第４のストリームサイクリックシフト遅延は５μｓであり得る。
【０１５２】
図１８は、図１の通信ネットワーク１００内で採用され得る別の例示的なワイヤレスデバイス１８００の機能ブロック図である。デバイス１８００は、それぞれ、第１の時空間ストリーム、第２の時空間ストリーム、第３の時空間ストリーム、および第４の時空間ストリームを送信するための手段１８１０、１８２０、１８３０、および１８４０を備える。一実施形態では、第１のストリームを送信するための手段１８１０は、図１７に示したブロック１７１０に関して上記で説明した機能のうちの１つまたは複数を実行するように構成され得る。第１のストリームを送信するための手段１８１０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１５３】
一実施形態では、第２のストリームを送信するための手段１８２０は、図１７に示したブロック１７２０に関して上記で説明した機能のうちの１つまたは複数を実行するように構成され得る。第２のストリームを送信するための手段１８２０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１５４】
一実施形態では、第３のストリームを送信するための手段１８３０は、図１７に示したブロック１７３０に関して上記で説明した機能のうちの１つまたは複数を実行するように構成され得る。第３のストリームを送信するための手段１８３０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１５５】
一実施形態では、第４のストリームを送信するための手段１８４０は、図１７に示したブロック１７４０に関して上記で説明した機能のうちの１つまたは複数を実行するように構成され得る。第４のストリームを送信するための手段１８４０は、ＯＦＤＭ変調器４００（図４）と、送信機２２２ａ〜２２２ｍ（図２）と、ＴＸ特殊プロセッサ２２０および２９０と、送信機３１０（図３）と、ＤＳＰ３２０と、トランシーバ３１４と、プロセッサ３０４とのうちの１つまたは複数に対応し得る。
【０１５６】
本明細書で使用する「決定」という用語は、多種多様なアクションを包含する。たとえば、「決定」は、計算、算出、処理、導出、調査、探索（たとえば、テーブル、データベースまたは別のデータ構造での探索）、確認などを含み得る。また、「決定」は、受信（たとえば、情報を受信すること）、アクセス（たとえば、メモリ中のデータにアクセスすること）などを含み得る。また、「決定」は、解決、選択、選定、確立などを含み得る。
【０１５７】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１５８】
上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示すどの動作も、その動作を実行することが可能な対応する機能的手段によって実行され得る。
【０１５９】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１６０】
１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【０１６１】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１６２】
説明した機能は、ハードウェア、ソフトウェア、ファームウェアまたはそれらの組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）、およびＢｌｕ−ｒａｙ（登録商標）ディスク（disc）を含み、ディスク（disk）は、通常、データを磁気的に再生し、ディスク（disc）は、データをレーザで光学的に再生する。
【０１６３】
したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１６４】
ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１６５】
さらに、本明細書で説明した方法および技法を実行するためのモジュールおよび／または他の適切な手段は、適用可能な場合にユーザ端末および／またはベースユーザ端末によってダウンロードおよび／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／またはベースユーザ端末が記憶手段をデバイスに結合するかまたは与えると様々な方法を取得することができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が利用され得る。
【０１６６】
特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【０１６７】
上記は本開示の態様を対象とするが、本開示の他の態様およびさらなる態様は、それの基本的範囲から逸脱することなく考案され得る。本明細書で説明した態様、または追加の態様について、添付した付属書類においてさらに説明していることがある。付属書類に含まれる資料は、例示的なものにすぎず、いかなる方法でも限定的なものでない。当業者なら、本明細書に含まれる説明に基づいて様々な態様を諒解し、そのような態様の利益および利点をさらに諒解されよう。
以下に、出願当初の特許請求の範囲に記載された発明を付記する。
［１］
［Ｃ１］
１つまたは複数の時空間ストリーム上で通信する方法であって、前記方法は、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと
を備える、方法。
［Ｃ２］
前記第２のストリームを送信することが、前記第１のストリームに対する４μｓのサイクリックシフト遅延をもつ前記第２のストリームを送信することを含み、
前記第３のストリームを送信することが、前記第１のストリームに対する２μｓのサイクリックシフト遅延をもつ前記第３のストリームを送信することを含み、
前記第４のストリームを送信することが、前記第１のストリームに対する６μｓのサイクリックシフト遅延をもつ前記第４のストリームを送信することを含む、
上記Ｃ１に記載の方法。
［Ｃ３］
少なくとも１つのストリームを送信することが、シングルセグメントフレームのオムニ部分を送信することを含む、上記Ｃ２に記載の方法。
［Ｃ４］
ストリーム帯域幅、フレームフォーマット、および送信アンテナのうちの１つまたは複数に基づいて、前記ストリームの各々のためのサイクリックシフト遅延テーブルを選択することと、
前記選択されたサイクリックシフト遅延テーブルに基づいて各ストリームにサイクリックシフト遅延を適用することと、
前記適用されたサイクリックシフト遅延を用いて前記ストリームを送信することと
をさらに備える、上記Ｃ１に記載の方法。
［Ｃ５］
第１のサイクリックシフト遅延テーブルに従ってデータユニットの第１の部分を送信することと、
第２のサイクリックシフト遅延テーブルに従って前記データユニットの第２の部分を送信することと
をさらに備える、上記Ｃ１に記載の方法。
［Ｃ６］
前記第１の部分がオムニ部分を含み、前記第２の部分が、プリコーディングされた部分を含む、上記Ｃ５に記載の方法。
［Ｃ７］
前記第１のサイクリックシフト遅延テーブルが、ペイロードの受信電力で除算されたショートトレーニングフィールドの受信電力のメトリックに基づいて決定される、上記Ｃ５に記載の方法。
［Ｃ８］
前記第２のサイクリックシフト遅延テーブルが、信号フィールドの受信電力で除算されたショートトレーニングフィールドの受信電力のメトリックに基づいて決定される、上記Ｃ５に記載の方法。
［Ｃ９］
送信することが、１ＭＨｚ帯域幅で送信することを含む、上記Ｃ１に記載の方法。
［Ｃ１０］
送信することが、２ＭＨｚ帯域幅で送信することを含む、上記Ｃ１に記載の方法。
［Ｃ１１］
１つまたは複数の時空間ストリーム上で通信するように構成されたワイヤレスデバイスであって、前記デバイスは、
各時空間ストリームに関するサイクリックシフト遅延を決定するように構成されたプロセッサと、
メモリと、
送信機であって、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと
を行うように構成された送信機と
を備える、デバイス。
［Ｃ１２］
前記送信機は、
前記第１のストリームに対する４μｓのサイクリックシフト遅延をもつ前記第２のストリームを送信することを含む、前記第２のストリームを送信することと、
前記第１のストリームに対する２μｓのサイクリックシフト遅延をもつ前記第３のストリームを送信することを含む、前記第３のストリームを送信することと、
前記第１のストリームに対する６μｓのサイクリックシフト遅延をもつ前記第４のストリームを送信することを含む、前記第４のストリームを送信することと
を行うようにさらに構成された、上記Ｃ１１に記載のデバイス。
［Ｃ１３］
前記送信機が、シングルセグメントフレームのオムニ部分を送信するようにさらに構成された、上記Ｃ１２に記載のデバイス。
［Ｃ１４］
前記プロセッサが、
ストリーム帯域幅、フレームフォーマット、および送信アンテナのうちの１つまたは複数に基づいて、前記ストリームの各々のための新しいサイクリックシフト遅延テーブルを選択することと、
前記選択されたサイクリックシフト遅延テーブルに基づいて各ストリームにサイクリックシフト遅延を適用することと
を行うようにさらに構成され、
前記送信機が、前記適用されたサイクリックシフト遅延を用いて前記ストリームを送信するようにさらに構成された、
上記Ｃ１１に記載のデバイス。
［Ｃ１５］
前記送信機が、
第１のサイクリックシフト遅延テーブルに従ってデータユニットの第１の部分を送信することと、
第２のサイクリックシフト遅延テーブルに従って前記データユニットの第２の部分を送信することと
を行うようにさらに構成された、上記Ｃ１１に記載のデバイス。
［Ｃ１６］
前記第１の部分がオムニ部分を含み、前記第２の部分が、プリコーディングされた部分を含む、上記Ｃ１５に記載のデバイス。
［Ｃ１７］
前記第１のサイクリックシフト遅延テーブルが、ペイロードの受信電力で除算されたショートトレーニングフィールドの受信電力のメトリックに基づいて決定される、上記Ｃ１５に記載のデバイス。
［Ｃ１８］
前記第２のサイクリックシフト遅延テーブルが、信号フィールドの受信電力で除算されたショートトレーニングフィールドの受信電力のメトリックに基づいて決定される、上記Ｃ１５に記載のデバイス。
［Ｃ１９］
前記送信機が、１ＭＨｚ帯域幅で送信するように構成された、上記Ｃ１１に記載のデバイス。
［Ｃ２０］
前記送信機が、２ＭＨｚ帯域幅で送信するように構成された、上記Ｃ１１に記載のデバイス。
［Ｃ２１］
１つまたは複数の時空間ストリーム上で通信するための装置であって、
２ＭＨｚ以下の帯域幅をもつ第１のストリームを送信するための手段と、
少なくとも２つのストリームがあるとき、周期の１／２に等しい前記第１のストリームに対するサイクリックシフト遅延をもつ第２のストリームを送信するための手段と、
少なくとも３つのストリームがあるとき、前記周期の１／４に等しい前記第１のストリームと前記第２のストリームとのうちの一方に対するサイクリックシフト遅延をもつ第３のストリームを送信するための手段と、
少なくとも４つのストリームがあるとき、前記周期の４分の１に等しい前記第１のストリームと前記第２のストリームとのうちの他方に対するサイクリックシフト遅延をもつ第４のストリームを送信するための手段と
を備える、装置。
［Ｃ２２］
前記第１のストリームに対する４μｓのサイクリックシフト遅延をもつ前記第２のストリームを送信することを含む、前記第２のストリームを送信するための手段と、
前記第１のストリームに対する２μｓのサイクリックシフト遅延をもつ前記第３のストリームを送信することを含む、前記第３のストリームを送信するための手段と、
前記第１のストリームに対する６μｓのサイクリックシフト遅延をもつ前記第４のストリームを送信することを含む、前記第４のストリームを送信するための手段と
をさらに備える、上記Ｃ２１に記載の装置。
［Ｃ２３］
少なくとも１つのストリームを送信するための手段が、シングルセグメントフレームのオムニ部分を送信するための手段を含む、上記Ｃ２２に記載の装置。
［Ｃ２４］
ストリーム帯域幅、フレームフォーマット、および送信アンテナのうちの１つまたは複数に基づいて、前記ストリームの各々のための新しいサイクリックシフト遅延テーブルを選択するための手段と、
前記選択されたサイクリックシフト遅延テーブルに基づいて各ストリームにサイクリックシフト遅延を適用するための手段と、
前記適用されたサイクリックシフト遅延を用いて前記ストリームを送信するための手段と
をさらに備える、上記Ｃ２１に記載の装置。
［Ｃ２５］
第１のサイクリックシフト遅延テーブルに従ってデータユニットの第１の部分を送信するための手段と、
第２のサイクリックシフト遅延テーブルに従って前記データユニットの第２の部分を送信するための手段と
をさらに備える、上記Ｃ２１に記載の装置。
［Ｃ２６］
前記第１の部分がオムニ部分を含み、前記第２の部分が、プリコーディングされた部分を含む、上記Ｃ２５に記載の装置。
［Ｃ２７］
前記第１のサイクリックシフト遅延テーブルが、ペイロードの受信電力で除算されたショートトレーニングフィールドの受信電力のメトリックに基づいて決定される、上記Ｃ２５に記載の装置。
［Ｃ２８］
前記第２のサイクリックシフト遅延テーブルが、信号フィールドの受信電力で除算されたショートトレーニングフィールドの受信電力のメトリックに基づいて決定される、上記Ｃ２５に記載の装置。
［Ｃ２９］
送信するための手段が、１ＭＨｚ帯域幅で送信するための手段を含む、上記Ｃ２１に記載の装置。
［Ｃ３０］
送信するための手段が、シングルセグメントフレームを送信するための手段を含む、上記Ｃ２１に記載の装置。
［Ｃ３１］
実行されたときに、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと
を装置に行わせるコードを備える非一時的コンピュータ可読媒体。
［Ｃ３２］
実行されたときに、
前記第１のストリームに対する４μｓのサイクリックシフト遅延をもつ前記第２のストリームを送信することを含む、前記第２のストリームを送信することと、
前記第１のストリームに対する２μｓのサイクリックシフト遅延をもつ前記第３のストリームを送信することを含む、前記第３のストリームを送信することと、
前記第１のストリームに対する６μｓのサイクリックシフト遅延をもつ前記第４のストリームを送信することを含む、前記第４のストリームを送信することと
を前記装置に行わせるコードをさらに備える、上記Ｃ３１に記載の媒体。
［Ｃ３３］
少なくとも１つのストリームを送信することが、シングルセグメントフレームのオムニ部分を送信することを含む、上記Ｃ３２に記載の媒体。
［Ｃ３４］
実行されたときに、
ストリーム帯域幅、フレームフォーマット、および送信アンテナのうちの１つまたは複数に基づいて、前記ストリームの各々のための新しいサイクリックシフト遅延テーブルを選択することと、
前記選択されたサイクリックシフト遅延テーブルに基づいて各ストリームにサイクリックシフト遅延を適用することと、
前記適用されたサイクリックシフト遅延を用いて前記ストリームを送信することと
を前記装置に行わせるコードをさらに備える、上記Ｃ３１に記載の媒体。
［Ｃ３５］
実行されたときに、
第１のサイクリックシフト遅延テーブルに従ってデータユニットの第１の部分を送信することと、
第２のサイクリックシフト遅延テーブルに従って前記データユニットの第２の部分を送信することと
を前記装置に行わせるコードをさらに備える、上記Ｃ３１に記載の媒体。
［Ｃ３６］
前記第１の部分がオムニ部分を含み、前記第２の部分が、プリコーディングされた部分を含む、上記Ｃ３５に記載の媒体。
［Ｃ３７］
前記第１のサイクリックシフト遅延テーブルが、ペイロードの受信電力で除算されたショートトレーニングフィールドの受信電力のメトリックに基づいて決定される、上記Ｃ３５に記載の媒体。
［Ｃ３８］
前記第２のサイクリックシフト遅延テーブルが、信号フィールドの受信電力で除算されたショートトレーニングフィールドの受信電力のメトリックに基づいて決定される、上記Ｃ３５に記載の媒体。
［Ｃ３９］
送信することが、１ＭＨｚ帯域幅で送信することを含む、上記Ｃ３１に記載の媒体。
［Ｃ４０］
送信することが、シングルセグメントフレームを送信することを含む、上記Ｃ３１に記載の媒体。
【図１】
0006309455.tif 000003
【図２】
0006309455.tif 000004
【図３】
0006309455.tif 000005
【図４】
0006309455.tif 000006
【図５】
0006309455.tif 000007
【図６】
0006309455.tif 000008
【図７Ａ】
0006309455.tif 000009
【図７Ｂ】
0006309455.tif 000010
【図７Ｃ】
0006309455.tif 000011
【図８Ａ】
0006309455.tif 000012
【図８Ｂ】
0006309455.tif 000013
【図８Ｃ】
0006309455.tif 000014
【図８Ｄ】
0006309455.tif 000015
【図８Ｅ】
0006309455.tif 000016
【図９Ａ】
0006309455.tif 000017
【図９Ｂ】
0006309455.tif 000018
【図１０Ａ】
0006309455.tif 000019
【図１０Ｂ】
0006309455.tif 000020
【図１０Ｃ】
0006309455.tif 000021
【図１０Ｄ】
0006309455.tif 000022
【図１０Ｅ】
0006309455.tif 000023
【図１０Ｆ】
0006309455.tif 000024
【図１０Ｇ】
0006309455.tif 000025
【図１０Ｈ】
0006309455.tif 000026
【図１０Ｉ】
0006309455.tif 000027
【図１０Ｊ】
0006309455.tif 000028
【図１０Ｋ】
0006309455.tif 000029
【図１０Ｌ】
0006309455.tif 000030
【図１０Ｍ】
0006309455.tif 000031
【図１０Ｎ】
0006309455.tif 000032
【図１０Ｏ】
0006309455.tif 000033
【図１１】
0006309455.tif 000034
【図１２】
0006309455.tif 000035
【図１３】
0006309455.tif 000036
【図１４】
0006309455.tif 000037
【図１５】
0006309455.tif 000038
【図１６】
0006309455.tif 000039
【図１７】
0006309455.tif 000040
【図１８】
0006309455.tif 000041